(57)【要約】【課題】パケット送信基地局が十分な品質でＡＣＫ／ＮＡＣＫ信号を受信可能なセルラシステムを提供する。【解決手段】移動局ＭＳは基地局ＢＳからのデータ送信予告の受信後、パケット送信元の基地局ＢＳが送信するＴＰＣ信号のみにしたがって自局が送信するＵＬ　ＤＰＣＨの送信電力の制御を行うように切替える（ａ３）。移動局ＭＳは基地局ＢＳが所定の送信電力で送信しているＣＰＩＣＨの受信品質の測定結果から基地局ＢＳとの伝搬損の差を推定し（ａ４）、その差に応じて決定されるオフセット電力ＰだけＵＬ　ＤＰＣＨの送信電力に加算する（ａ５）。移動局ＭＳはデータ送信の終了に応答して、パケット送信元の基地局ＢＳのＴＰＣ信号のみでＵＬ　ＤＰＣＨの送信な電力を制御する状態を元の状態に戻す（ａ１３）。【選択図】　　　図２
2004080235.tif 000002
【特許請求の範囲】
【請求項１】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行うセルラシステムであって、
前記第二の送信電力制御の開始後から前記上り個別チャネルにおいて所定の制御情報を最初に送信するまでの間に予め設定された追加電力値だけ前記上り個別チャネルの送信電力を増加させる手段を有することを特徴とするセルラシステム。
【請求項２】
前記パケット送信を行う基地局の伝搬損と前記ソフトハンドオーバ状態にある他の基地局の伝搬損との差異に基づいた指標に応じて前記追加電力値を変更することを特徴とする請求項１記載のセルラシステム。
【請求項３】
所定時間内における前記パケット送信を行う基地局から電力増加を指示する送信電力制御情報を受信した回数に基づいた指標に応じて前記追加電力値を変更することを特徴とする請求項１記載のセルラシステム。
【請求項４】
前記ソフトハンドオーバ状態にある基地局各々が所定の電力で送信している共通パイロット信号の受信品質に基づいた指標に応じて前記追加電力値を変更することを特徴とする請求項１記載のセルラシステム。
【請求項５】
前記移動局において受信した前記送信電力制御情報が所定の信頼度よりも低い時に当該送信電力制御情報が破棄される場合、前記パケット送信を行う基地局が送信した送信電力制御情報が破棄された数に基づいた指標に応じて前記追加電力値を変更することを特徴とする請求項１記載のセルラシステム。
【請求項６】
前記追加電力値の変更のための指標を決定する手順を、前記第二の送信電力制御の開始に応じて開始することを特徴とする請求項１から請求項５のいずれか記載のセルラシステム。
【請求項７】
前記パケット送信を行う基地局と前記ソフトハンドオーバ状態にある他の基地局とからそれぞれ受信した前記送信電力制御情報の差異に基づいた指標を決定する手順を、前記第二の送信電力制御の開始に応じて開始し、その指標に応じて前記追加電力値を変更することを特徴とする請求項１記載のセルラシステム。
【請求項８】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報が所定のオフセット電力値を加算して送信されるセルラシステムであって、
前記パケット送信を行う際に前記送信電力制御情報を送信するための電力のオフセット電力値を所定の値だけ増加させる手段を前記パケット送信を行う基地局に有することを特徴とするセルラシステム。
【請求項９】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムであって、
前記第二の送信電力制御の開始に応じて受信したコマンドの信頼度が所定の閾値より低い場合に受信したコマンドを前記第１のコマンドと判定する暫定送信電力制御を行う手段を有することを特徴とするセルラシステム。
【請求項１０】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムであって、
前記第二の送信電力制御の開始に応じて直前の送信電力変更後から前記第１のコマンド及び前記第２のコマンド各々の受信数のいずれかがそれぞれ対応する閾値以上となった時に前記閾値以上となったコマンドに対応する送信電力制御を行う手段を有することを特徴とするセルラシステム。
【請求項１１】
前記第１のコマンドの受信数に対応する閾値＜前記第２のコマンドの受信数に対応する閾値としたことを特徴とする請求項１０記載のセルラシステム。
【請求項１２】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記移動局が前記送信電力制御情報を所定回数受信した結果に応じて送信電力を制御するセルラシステムであって、
前記第二の送信電力制御の開始に応じて前記所定回数を小さくした暫定送信電力制御を行う手段を有することを特徴とするセルラシステム。
【請求項１３】
前記所定回数を１とした前記暫定送信電力制御を行うことを特徴とする請求項１２記載のセルラシステム。
【請求項１４】
前記第二の送信電力制御の開始から所定の制御情報を送信した後に前記暫定送信電力制御を終了することを特徴とする請求項９から請求項１３のいずれか記載のセルラシステム。
【請求項１５】
前記所定の制御情報は、パケットの送達確認信号であることを特徴とする請求項１から請求項１４のいずれか記載のセルラシステム。
【請求項１６】
前記パケットの受信開始に応じて前記第二の送信電力制御を開始し、前記パケットの受信終了に応じて前記第一の送信電力制御を開始することを特徴とする請求項１から請求項１５のいずれか記載のセルラシステム。
【請求項１７】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行うセルラシステムを構成する移動局であって、
前記第二の送信電力制御を開始してから前記上り個別チャネルにおいて所定の制御情報を最初に送信するまでの間に予め設定された追加電力値だけ前記上り個別チャネルの送信電力を増加させる手段を有することを特徴とする移動局。
【請求項１８】
前記パケット送信を行う基地局の伝搬損と前記ソフトハンドオーバ状態にある他の基地局の伝搬損との差異に基づいた指標に応じて前記追加電力値を変更することを特徴とする請求項１７記載の移動局。
【請求項１９】
所定時間内における前記パケット送信を行う基地局から電力増加を指示する送信電力制御情報を受信した回数に基づいた指標に応じて前記追加電力値を変更することを特徴とする請求項１７記載の移動局。
【請求項２０】
前記ソフトハンドオーバ状態にある基地局各々が所定の電力で送信している共通パイロット信号の受信品質に基づいた指標に応じて前記追加電力値を変更することを特徴とする請求項１７記載の移動局。
【請求項２１】
受信した前記送信電力制御情報が所定の信頼度よりも低い時に当該送信電力制御情報を破棄する場合、前記パケット送信を行う基地局が送信した送信電力制御情報が破棄された数に基づいた指標に応じて前記追加電力値を変更することを特徴とする請求項１７記載の移動局。
【請求項２２】
前記追加電力値の変更のための指標を決定する手順を、前記第二の送信電力制御の開始に応じて開始することを特徴とする請求項１８から請求項２１のいずれか記載の移動局。
【請求項２３】
前記パケット送信を行う基地局と前記ソフトハンドオーバ状態にある他の基地局とからそれぞれ受信した前記送信電力制御情報の差異に基づいた指標を決定する手順を、前記第二の送信電力制御の開始に応じて開始し、その指標に応じて前記追加電力値を変更することを特徴とする請求項１７記載の移動局。
【請求項２４】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムを構成する移動局であって、
前記第二の送信電力制御の開始に応じて、受信したコマンドの信頼度が所定の閾値より低い場合に受信したコマンドを前記第１のコマンドと判定する暫定送信電力制御を行う手段を有することを特徴とする移動局。
【請求項２５】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムを構成する移動局であって、
前記第二の送信電力制御の開始に応じて直前の送信電力変更後から前記第１のコマンド及び前記第２のコマンド各々の受信数のいずれかがそれぞれ対応する閾値以上となった時に前記閾値以上となったコマンドに対応する送信電力制御を行う手段を有することを特徴とする移動局。
【請求項２６】
前記第１のコマンドの受信数に対応する閾値＜前記第２のコマンドの受信数に対応する閾値としたことを特徴とする請求項２５記載の移動局。
【請求項２７】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記移動局が前記送信電力制御情報を所定回数受信した結果に応じて送信電力を制御するセルラシステムを構成する移動局であって、
前記第二の送信電力制御の開始に応じて前記所定回数を小さくした暫定送信電力制御を行う手段を有することを特徴とする移動局。
【請求項２８】
前記所定回数を１とした前記暫定送信電力制御を行うことを特徴とする請求項２７記載の移動局。
【請求項２９】
前記第二の送信電力制御の開始から所定の制御情報を送信した後に前記暫定送信電力制御を終了することを特徴とする請求項２４から請求項２８のいずれか記載の移動局。
【請求項３０】
前記所定の制御情報は、パケットの送達確認信号であることを特徴とする請求項１７から請求項２９のいずれか記載の移動局。
【請求項３１】
前記パケットの受信開始に応じて前記第二の送信電力制御を開始し、前記パケットの受信終了に応じて前記第一の送信電力制御を開始することを特徴とする請求項１７から請求項３０のいずれか記載の移動局。
【請求項３２】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報が所定のオフセット電力値を加算して送信されるセルラシステムを構成する基地局であって、
前記パケット送信を行う際に前記送信電力制御情報を送信するための電力のオフセット電力値を所定の値だけ増加させる手段を有することを特徴とする基地局。
【請求項３３】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報が所定のオフセット電力値を加算して送信されるセルラシステムの送信電力制御方法であって、
前記第二の送信電力制御を開始後から前記上り個別チャネルにおいて所定の制御情報を最初に送信するまでの間に予め設定された追加電力値だけ前記上り個別チャネルの送信電力を増加させるステップを有することを特徴とする送信電力制御方法。
【請求項３４】
前記パケット送信を行う基地局の伝搬損と前記ソフトハンドオーバ状態にある他の基地局の伝搬損との差異に基づいた指標に応じて前記追加電力値を変更することを特徴とする請求項３３記載の送信電力制御方法。
【請求項３５】
所定時間内において前記パケット送信を行う基地局から電力増加を指示する送信電力制御情報を受信した回数に基づいた指標に応じて前記追加電力値を変更することを特徴とする請求項３３記載の送信電力制御方法。
【請求項３６】
前記ソフトハンドオーバ状態にある基地局各々が所定の電力で送信している共通パイロット信号の受信品質に基づいた指標に応じて前記追加電力値を変更することを特徴とする請求項３３記載の送信電力制御方法。
【請求項３７】
前記移動局において受信した前記送信電力制御情報が所定の信頼度よりも低い時に当該送信電力制御情報が破棄される場合、前記パケット送信を行う基地局が送信した送信電力制御情報が破棄された数に基づいた指標に応じて前記追加電力値を変更することを特徴とする請求項３３記載の送信電力制御方法。
【請求項３８】
前記追加電力値の変更のための指標を決定する手順を、前記第二の送信電力制御の開始に応じて開始することを特徴とする請求項３４から請求項３７のいずれか記載の送信電力制御方法。
【請求項３９】
前記パケット送信を行う基地局と前記ソフトハンドオーバ状態にある他の基地局とからそれぞれ受信した前記送信電力制御情報の差異に基づいた指標を決定する手順を、前記第二の送信電力制御の開始に応じて開始し、その指標に応じて前記追加電力値を変更することを特徴とする請求項３３記載の送信電力制御方法。
【請求項４０】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報が所定のオフセット電力値を加算して送信されるセルラシステムの送信電力制御方法であって、
前記パケット送信を行う際に前記送信電力制御情報を送信するための電力のオフセット電力値を所定の値だけ増加させるステップを前記パケット送信を行う基地局に有することを特徴とする送信電力制御方法。
【請求項４１】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムの送信電力制御方法であって、
前記第二の送信電力制御の開始に応じて受信したコマンドの信頼度が所定の閾値より低い場合に受信したコマンドを前記第１のコマンドと判定する暫定送信電力制御を行うステップを有することを特徴とする送信電力制御方法。
【請求項４２】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムの送信電力制御方法であって、
前記第二の送信電力制御の開始に応じて直前の送信電力変更後から前記第１のコマンド及び前記第２のコマンド各々の受信数のいずれかがそれぞれ対応する閾値以上となったかを判定するステップと、前記閾値以上と判定されたコマンドに対応する送信電力制御を行うステップとを有することを特徴とする送信電力制御方法。
【請求項４３】
前記第１のコマンドの受信数に対応する閾値＜前記第２のコマンドの受信数に対応する閾値としたことを特徴とする請求項４２記載の送信電力制御方法。
【請求項４４】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記移動局が前記送信電力制御情報を所定回数受信した結果に応じて送信電力を制御するセルラシステムの送信電力制御方法であって、
前記第二の送信電力制御の開始に応じて前記所定回数を小さくした暫定送信電力制御を行うステップを有することを特徴とする送信電力制御方法。
【請求項４５】
前記所定回数を１とした前記暫定送信電力制御を行うことを特徴とする請求項４４記載の送信電力制御方法。
【請求項４６】
前記第二の送信電力制御の開始から所定の制御情報を送信した後に前記暫定送信電力制御を終了することを特徴とする請求項４１から請求項４５のいずれか記載の送信電力制御方法。
【請求項４７】
前記所定の制御情報は、パケットの送達確認信号であることを特徴とする請求項３３から請求項４６のいずれか記載の送信電力制御方法。
【請求項４８】
前記パケットの受信開始に応じて前記第二の送信電力制御を開始し、前記パケットの受信終了に応じて前記第一の送信電力制御を開始することを特徴とする請求項３３から請求項４７のいずれか記載の送信電力制御方法。
【請求項４９】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報が所定のオフセット電力値を加算して送信されるセルラシステムの送信電力制御方法のプログラムであって、前記移動局のコンピュータに、前記第二の送信電力制御を開始後から前記上り個別チャネルにおいて所定の制御情報を最初に送信するまでの間に予め設定された追加電力値だけ前記上り個別チャネルの送信電力を増加させる処理を実行させるためのプログラム。
【請求項５０】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報が所定のオフセット電力値を加算して送信されるセルラシステムの送信電力制御方法のプログラムであって、前記パケット送信を行う基地局のコンピュータに、前記パケット送信を行う際に前記送信電力制御情報を送信するための電力のオフセット電力値を所定の値だけ増加させる処理を実行させるためのプログラム。
【請求項５１】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムの送信電力制御方法のプログラムであって、前記移動局のコンピュータに、前記第二の送信電力制御の開始に応じて受信したコマンドの信頼度が所定の閾値より低い場合に受信したコマンドを前記第１のコマンドと判定する暫定送信電力制御を行う処理を実行させるためのプログラム。
【請求項５２】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムの送信電力制御方法のプログラムであって、前記移動局のコンピュータに、前記第二の送信電力制御の開始に応じて直前の送信電力変更後から前記第１のコマンド及び前記第２のコマンド各々の受信数のいずれかがそれぞれ対応する閾値以上となったかを判定する処理と、前記閾値以上と判定されたコマンドに対応する送信電力制御を行う処理とを実行させるためのプログラム。
【請求項５３】
移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記移動局が前記送信電力制御情報を所定回数受信した結果に応じて送信電力を制御するセルラシステムの送信電力制御方法のプログラムであって、前記移動局のコンピュータに、前記第二の送信電力制御の開始に応じて前記所定回数を小さくした暫定送信電力制御を行う処理を実行させるためのプログラム。
【発明の詳細な説明】
【０００１】
【発明の属する技術分野】
本発明はセルラシステム、移動局、基地局及びそれに用いる送信電力制御方法並びにそのプログラムに関し、特にセルラシステムにおける基地局から移動局への下り回線に高速データを伝送する際の送信電力制御方法に関する。
【０００２】
【従来の技術】
セルラシステムにおいては、基地局から移動局への下り回線に高速データを伝送する方法として、ＨＳＤＰＡ（Ｈｉｇｈ−Ｓｐｅｅｄ　Ｄｏｗｎｌｉｎｋ　Ｐａｃｋｅｔ　Ａｃｃｅｓｓ）が３ＧＰＰ（３ｒｄ　Ｇｅｎｅｒａｔｉｏｎ　Ｐｅｒｔｎｅｒｓｈｉｐ　Ｐｒｏｊｅｃｔ）で提案されている。
【０００３】
このＨＳＤＰＡでは、基地局から移動局への下り回線の伝送のために、ＨＳ−ＰＤＳＣＨ（Ｈｉｇｈ−Ｓｐｅｅｄ　Ｐｈｙｓｉｃａｌ　Ｄｏｗｎｌｉｎｋ　Ｓｈａｒｅｄ　Ｃｈａｎｎｅｌ：高速下り共用チャネル）が使用されている。このＨＳ−ＰＤＳＣＨは各基地局から複数の移動局へのデータ送信に用いられるものであり、そのために、基地局またはその制御局は複数の移動局の各々に対するデータ送信を行うスケジュールを決定し、移動局毎に異なるタイミング（時分割方式）でデータを送信するものである。
【０００４】
上記のような基地局から移動局へのテータ送信を制御するために、各基地局では複数の移動局各々との間に、個別チャンネルであるＤＰＣＨ（Ｄｅｄｉｃａｔｅｄ　Ｐｈｙｓｉｃａｌ　Ｃｈａｎｎｅｌ）を設定する。ＤＰＣＨはその下り回線信号によって基地局から移動局へ制御情報を送信するとともに、上り回線信号によって移動局から基地局へ制御信号を送信するために使用される。
【０００５】
各移動局においては、ＨＳ−ＰＤＳＣＨを用いてデータを受信する時間の割合が小さいが、データを受信していないデータ待ち受け状態においても、基地局との間でＤＰＣＨを継続して設定し、データの送信を要求した時に、データの送信を短時間のうちに開始することができるようにしている。このため、各基地局が同時にデータ送信を行う移動局は同時には１つであるが、多数の移動局がデータ待ち受け状態にあり、基地局との間でＤＰＣＨを設定することになる。
【０００６】
また、セルラシステムにおいては、移動局が複数の基地局と同時にチャネルを設定するソフトハンドオーバという技術がある。各基地局は所定の電力で共通パイロット信号を送信しており、移動局は共通パイロット信号の受信電力が最大の基地局とＤＰＣＨを設定する。しかしながら、ソフトハンドオーバでは共通パイロット信号の受信電力の差が小さい別の基地局が存在する時に、その別の基地局ともＤＰＣＨを設定し、複数の基地局とＤＰＣＨを設定することになる。以下の説明では、このように、ソフトハンドオーバ中にＤＰＣＨを設定する基地局を接続基地局と呼ぶ。
【０００７】
さらに、セルラシステムにおいては、高速閉ループ型の送信電力制御という技術が適用される。ＤＰＣＨの上り回線の送信電力制御では、基地局は上り信号に含まれる個別パイロット信号を用いて、その受信ＳＩＲ（Ｓｉｇｎａｌ　ｔｏ　Ｉｎｔｅｒｆｅｒｅｎｃｅ　Ｒａｔｉｏ）を測定し、その測定値と所定の目標ＳＩＲとを比較する。
【０００８】
この測定値が目標ＳＩＲより小さい場合には、電力増加を示すＴＰＣ（Ｔｒａｎｓｍｉｔ　Ｐｏｗｅｒ　Ｃｏｎｔｒｏｌ）ビット（ＴＰＣ＿ＵＰ）、それ以外の場合には電力減少を示すＴＰＣ信号（ＴＰＣ＿ＤＯＷＮ）を、ＤＰＣＨの下り信号に含めて移動局に通知する。移動局はそのＴＰＣ信号を受信すると、ＴＰＣ信号に応じて送信電力の増減を行う。
【０００９】
受信したＴＰＣ信号から実際の送信電力制御を決定する方法としては、３ＧＰＰ　ＴＳ２５．２１４　Ｖ５．１．０（２００２−０６）［３ｒｄ　Ｇｅｎｅｒａｔｉｏｎ　Ｐａｒｔｎｅｒｓｈｉｐ　Ｐｒｏｊｅｃｔ；Ｔｅｃｈｎｉｃａｌ　Ｓｐｅｃｉｆｉｃａｔｉｏｎ　Ｇｒｏｕｐ　Ｒａｄｉｏ　Ａｃｃｅｓｓ　Ｎｅｔｗｏｒｋ；Ｐｈｙｓｉｃａｌ　ｌａｙｅｒ　ｐｒｏｃｅｄｕｒｅｓ　（ＦＤＤ）（Ｒｅｌｅａｓｅ　５）］に記載された方法があり、この方法には以下の２つのアルゴリズムが提示されている。
【００１０】
第１のアルゴリズムでは、移動局がＴＰＣ信号を１回受信する毎にそれに応じて送信電力を変更し、ソフトハンドオーバと共に用いる場合に移動局が複数の接続基地局の各々からＴＰＣ信号を受信し、少なくとも１つのＴＰＣ信号がＴＰＣ＿ＤＯＷＮの時にＤＰＣＨの送信電力を減少させ、それ以外の場合（すなわち、全てのＴＰＣ信号がＴＰＣ＿ＵＰの場合）にＤＰＣＨの送信電力を増加させている。このような送信電力制御を行うことによって、少なくとも１つの接続基地局において、上り回線信号の受信品質が目標ＳＩＲを満足すると同時に、全ての接続基地局において、上り回線信号の受信品質が目標ＳＩＲを超えることを防止し、上り回線の干渉波電力が増加しないようにしている。
【００１１】
また、第２のアルゴリズムでは、移動局が直前の送信電力制御の後、ＴＰＣ信号を５回受信するまで送信電力を変更せず、５回受信した場合に受信した５つのＴＰＣ信号を合成したＴＰＣ信号に基づいて送信電力を変更する。具体的には、５つが全て電力増加を指示するＴＰＣ信号である場合に、合成したＴＰＣ信号は電力増加を指示し、５つが全て電力減少を指示するＴＰＣ信号である場合に、合成したＴＰＣ信号は電力減少を指示し、それ以外の場合には送信電力を変更しない。
【００１２】
さらに、第２のアルゴリズムをソフトハンドオーバと共に用いる場合には、移動局が各接続基地局から５回送信電力制御信号を受信した後、接続基地局毎に合成したＴＰＣ信号を生成し、複数の合成したＴＰＣ信号のうちの所定数以上が電力増加または電力減少を示す場合にのみ該当する電力変更を行い、それ以外は送信電力を変更しないようにする。したがって、第２のアルゴリズムを用いると、送信電力制御周期が第１のアルゴリズムよりも遅く、受信品質変動への追従性は低くなるが、５つのＴＰＣ信号を合成するため、誤って反対の制御を行う確率は小さくなる。この場合、ソフトハンドオーバ時には所定数以上の基地局が電力増加を要求しない限り、電力が増加しないため、上り回線の干渉波電力を低減することができる。
【００１３】
上述したように、送信電力制御とソフトハンドオーバとは、無線アクセス方式として、特に、ＣＤＭＡ（Ｃｏｄｅ　Ｄｉｖｉｓｉｏｎ　Ｍｕｌｔｉｐｌｅ　Ａｃｃｅｓｓ）方式のセルラシステムにおいては、送信電力を低減することによって、干渉波電力を低減して回線容量を増加させるために有効な技術となっている。
【００１４】
ここで、ソフトハンドオーバ中においては、図１６に示すように、移動局３２が複数の接続基地局３１−１，３１−２と同時にＤＰＣＨを接続していることは上述しているが、ＨＳ−ＰＤＳＣＨは一つの基地局（図１６では基地局３１−１）のみとしか接続されていない。また、ＨＳ−ＰＤＳＣＨは共通チャネルであるため、送信されるパケットがどの移動局へ宛てて送信されたものかを通知する必要がある。
【００１５】
上記のようなパケット送信先の移動局に関する情報やパケット受信に必要な制御情報は、ＨＳ−ＳＣＣＨ（Ｈｉｇｈ−Ｓｐｅｅｄ　Ｓｈａｒｅｄ　Ｃｏｎｔｒｏｌ　Ｃｈａｎｎｅｌ）において送信されるが、このＨＳ−ＳＣＣＨもＨＳ−ＰＤＳＣＨと同様に、一つの基地局のみとしか接続されていない。また、上述したように、移動局３２がこのＨＳ−ＰＤＳＣＨにより送信されてくるパケットを誤りなく受信したか否かを示す送達確認通知（ＡＣＫ／ＮＡＣＫ信号：Ａｃｋｎｏｗｌｅｄｇｅ／Ｎｏｎ−Ａｃｋｎｏｗｌｅｄｇｅ）情報を、基地局３１−１へ送信することが必要であるが、この送達確認通知情報は上り回線のＨＳ−ＤＰＣＣＨ（Ｈｉｇｈ−Ｓｐｅｅｄ　Ｄｅｄｉｃａｔｅｄ　Ｐｈｙｓｉｃａｌ　Ｃｏｎｔｒｏｌ　Ｃｈａｎｎｅｌ）を使用して送信される。
【００１６】
この上り回線のＨＳ−ＤＰＣＣＨと上り回線のＤＰＣＨとの関係は、図１７に示すようになっており、ＤＰＣＨはＤＰＣＣＨ（Ｄｅｄｉｃａｔｅｄ　Ｐｈｙｓｉｃａｌ　Ｃｏｎｔｒｏｌ　Ｃｈａｎｎｅｌ）とＤＰＤＣＨ（Ｄｅｄｉｃａｔｅｄ　Ｐｈｙｓｉｃａｌ　Ｄａｔａ　Ｃｈａｎｎｅｌ）とから構成されており、ＤＰＣＣＨは個別パイロットチャネル（Ｐｉｌｏｔ）と、ＴＰＣビットと、ＦＢＩ（Ｆｅｅｄ　Ｂａｃｋ　Ｉｎｆｏｒｍａｔｉｏｎ）とを含んでいる。また、ＤＰＤＣＨはデータ（Ｄａｔａ）であり、ユーザ情報や制御情報を含む。このＤＰＣＣＨとＤＰＤＣＨとは互いに直交変調され、多重化されて送信される。
【００１７】
ＨＳ−ＤＰＣＣＨはＤＰＣＣＨやＤＰＤＣＨの３スロット分に相当するスロット長が割当てられており、先に説明した送達確認通知（ＡＣＫ／ＮＡＣＫ信号）情報及び下り回線品質を示すＣＱＩ（Ｃｈａｎｎｅｌ　Ｑｕａｌｉｔｙ　Ｉｎｄｉｃａｔｏｒ）が含まれている。このＨＳ−ＤＰＣＣＨはＤＰＣＨとコード多重にて送信されるようになっている。このＨＳ−ＤＰＣＣＨに含まれるＡＣＫ（受領）／ＮＡＣＫ（否）信号の判定は、ＨＳ−ＰＤＳＣＨを送信している基地局、すなわちパケット送信基地局のみで行われるために、基地局間のダイバーシチ合成はなされないものである。
【００１８】
一方、上り回線のＤＰＣＨは、図１６に示すように、無線ネットワーク制御局（ＢＳＣ）において、接続基地局３１−１，３１−２間でのダイバーシチ合成がなされるとともに、このＤＰＣＨは、上述したように、高速閉ループ型の送信電力制御によって所定の受信品質となるように制御されており、またＨＳ−ＤＰＣＣＨの送信電力ＰＨは、このＤＰＣＨの送信電力ＰＤに所定のオフセット電力Δを加えた電力で送信されるようになっている。すなわち、
ＰＨ＝ＰＤ＋Δ　　　　　　　　　　　　　　　　　……（１）
という関係で送信される。
【００１９】
このように、ＨＳ−ＰＤＣＣＨを用いて、移動局から送信されるＡＣＫ／ＮＡＣＫ信号を基に、パケット送信基地局は移動局でパケットが正しく受信されたか否かを判断し、ＮＡＣＫと判断されると、それに該当するパケットが移動局で正しく受信できなかっとものとみなして、当該パケットの再送を行い、パケットロスを防止するようになっいる。
【００２０】
ここで、特に、ＮＡＣＫがＡＣＫに誤った場合には、パケットが正しく受信されていないにもかかわらず、当該基地局は次のパケットを送信してしまうことになる。よって、その正しく受信されなかったパケットは再送されることなく、移動局ではパケットが失われてしまい、パケットロスが発生する。したがって、ＮＡＣＫに対する受信誤り率は、ＡＣＫに対するそれよりも十分に小さくすることが必要となり、換言すれば、パケット送信基地局でのＡＣＫ／ＮＡＣＫ信号の受信品質を十分高くすることが必要となる。
【００２１】
しかしながら、何等の対策を施さなければ、以下に述べるような動作によってＡＣＫ／ＮＡＣＫ信号の受信品質が低下することになる。ソフトハンドオーバ実行中において、ＨＳ−ＤＰＣＣＨの送信電力の基準となるＵＬ（Ｕｐ−Ｌｉｎｋ：上り回線）　ＤＰＣＨの送信電力は以下のように制御される。接続基地局はＵＬ　ＤＰＣＨの受信ＳＩＲが基準ＳＩＲより大きい場合に、電力を減少させるＴＰＣ信号を送信し、合成後の受信ＳＩＲが基準ＳＩＲより小さい場合に、電力を増加させるＴＰＣ信号を送信する。
【００２２】
また、ソフトハンドオーバ実行中の移動局は、上述した第１のアルゴリズムの場合、各接続基地局からＴＰＣ信号を受信して、全てのＴＰＣ信号が電力増加である時に送信電力を増加させ、少なくとも１つのＴＰＣ信号が電力減少である時に送信電力を減少させる。さらに、上述した第２のアルゴリズムの場合には、合成した複数のＴＰＣ信号のうちの所定数以上が電力増加もしくは電力減少の場合にのみ、該当する電力制御を行い、それ以外の場合には送信電力を変更しない。
【００２３】
この時、パケット送信基地局のＵＬ　ＤＰＣＨの受信ＳＩＲが基準ＳＩＲ未満であっても、それ以外の基地局のＵＬ　ＤＰＣＨの受信ＳＩＲが基準ＳＩＲ以上であり、上記の電力増加の条件を満たさない場合には、移動局がＵＬ　ＤＰＣＨの送信電力を増加させないため、パケット送信基地局のＵＬ　ＤＰＣＨの受信ＳＩＲが劣化する。したがって、ＨＳ−ＤＰＣＣＨの受信品質も劣化する。
【００２４】
以上の問題を改善するための方法としては以下に示すように、２つの方法がある。一つ目の方法としては、移動局がソフトハンドオーバ時もパケット送信基地局が送信するＴＰＣ信号にのみしたがって自局の送信電力を制御する方法がある（以下、第１の従来技術とする）。第１の従来技術では、パケット送信基地局のＵＬ　ＤＰＣＨの受信ＳＩＲが基準のＳＩＲを満たすように移動局の送信電力が制御され、ＨＳ−ＤＰＣＣＨの受信品質が向上し、ＡＣＫ／ＮＡＣＫ信号の受信品質を高めることができる。
【００２５】
また、上述した第１の従来技術では、パケット受信中のみ、パケット送信基地局が送信するＴＰＣ信号のみにしたがった送信電力を行い、それ以外の場合には上記のように、通常のソフトハンドオーバ中の送信電力を行うようにする。これによって、パケットを受信しておらず、つまりＨＳ−ＤＰＣＣＨにおいてＡＣＫ／ＮＡＣＫ信号を送信していない時には、上り回線の干渉波電力が増加しないようにしている。この方法については、３ＧＰＰ　ＲＡＮ（Ｒａｄｉｏ　Ａｃｃｅｓｓ　Ｎｅｔｗｏｒｋ）　ＷＧ（Ｗｏｒｋｉｎｇ　Ｇｒｏｕｐ）１会合＃２５に提出された寄書Ｒ１−０２−０５３７“Ｄｉｓｃｕｓｓｉｏｎ　ｏｎ　ＡＣＫ／ＮＡＣＫ　Ｓｉｇｎａｌｌｉｎｇ”で提案されている。
【００２６】
さらに、上記の方法に類似した技術として、３ＧＰＰ　ＲＡＮ（Ｒａｄｉｏ　Ａｃｃｅｓｓ　Ｎｅｔｗｏｒｋ）　ＷＧ（Ｗｏｒｋｉｎｇ　Ｇｒｏｕｐ）１会合＃２７に提出された寄書Ｒ１−０２−０９２９“Ｅｎｈａｎｃｅｄ　ＨＳ−ＤＰＣＣＨ　ｐｏｗｅｒ　ｃｏｎｔｒｏｌ　ｉｎ　ｓｏｆｔ　ｈａｎｄｏｖｅｒ”で提案されている方法がある（以下、第２の従来技術とする）。
【００２７】
第２の従来技術では、移動局がパケット送信基地局の送信したＴＰＣ信号と接続基地局から送信された全てのＴＰＣ信号とを合成した後のＴＰＣ信号を比較し、所定時間Ｋの間に両信号の内容が異なる回数を周期的にカウントする。ＡＣＫ／ＮＡＣＫ信号を送信する際には直前の所定時間Ｋ間のカウント数が大きいほどＡＣＫ／ＮＡＣＫ信号の送信を開始する際に大きなオフセット電力を加えて送信する。
【００２８】
両信号の内容が異なるのは、送信基地局において目標ＳＩＲを満足することができず、電力増加を要求するＴＰＣ信号を送信したにも関わらず、他の接続基地局においては目標ＳＩＲ以上となる受信品質のため、電力減少を要求するＴＰＣ信号を送信する場合である。このような場合にはパケット送信基地局での伝搬損が他の接続基地局での伝搬損よりも高いことを意味する。したがって、パケット送信基地局の伝搬損が高いほど、両ＴＰＣ信号が異なる確率が高く、その分、高いオフセット電力を加算するため、送信基地局でのＡＣＫ／ＮＡＣＫ信号の受信品質を向上することができる。
【００２９】
また、第２の従来技術では、オフセット電力を加算し、ＡＣＫ／ＮＡＣＫ信号の送信を開始した後、第１の従来技術と同様に、移動局がパケット送信基地局の送信するＴＰＣ信号のみにしたがって送信電力制御を行う。
【００３０】
【発明が解決しようとする課題】
しかしながら、上述した従来の送信電力制御方法では、以下に述べる場合のように、パケット受信中のＨＳ−ＤＰＣＣＨの受信品質が劣化する可能性が考えられる。
【００３１】
パケット受信中以外の通常制御の場合には、接続基地局の中でどれか一局でも目標ＳＩＲを満足している限り、移動局の送信電力を下げる、もしくは変更しないように制御する。一方、パケット受信中の場合には、例え他の接続基地局で目標ＳＩＲが満足されていても、パケット送信基地局において目標ＳＩＲを満足するまで送信電力を増加するように送信基地局優先の制御をする。
【００３２】
したがって、一般的に、送信基地局優先制御の場合のほうが通常制御の場合より高い送信電力を必要とする。よって、第１の従来技術では、移動局がパケット受信状態となり、通常制御から送信基地局優先制御に切替えた直後に、パケット送信基地局におけるＵＬ　ＤＰＣＨの目標ＳＩＲを満足するために十分な送信電力でない可能性が高い。このような場合、送信電力制御によって電力を増加させるためには十分な送信電力となるまでに所定の時間を要し、それまではＨＳ−ＤＰＣＣＨの受信品質も劣化する。
【００３３】
しかしながら、一般に、ＨＳ−ＤＰＣＣＨにおいて送信するＡＣＫ／ＮＡＣＫ信号は、下り回線におけるパケットを受信、複合し、受信誤りの有無を確認した後に送信されるため、図１８に示すように、ＨＳ−ＳＣＣＨにおいてパケット受信に必要な制御信号を受信することによって、パケット受信状態となる時間ＴＳ　とＡＣＫ／ＮＡＣＫ信号送信時間ＴＴ　との間には所定の時間遅れＴＤ　が存在する。
【００３４】
したがって、図１８に示すような条件下では、この時間遅れＴＤ　の間に移動局の送信電力がパケット送信基地局での目標ＳＩＲを満たすために十分な送信電力、すなわち目標電力まで移動局の送信電力を増加させられるため、ＡＣＫ／ＮＡＣＫ信号の劣化はない。
【００３５】
しかしながら、以下に示すような場合には、時間遅れＴＤ　の間に移動局の送信電力を目標電力値まで増加させることができず、ＡＣＫ／ＮＡＣＫ信号が劣化する場合が生じる。
【００３６】
まず第１に、パケット送信基地局の伝搬損が他の接続基地局の伝搬損よりも非常に大きい場合、時間遅れＴＤ　間ずっと送信電力を増加し続けても、目標電力値に到達することができない可能性がある。
【００３７】
第２に、パケット送信基地局が送信するＴＰＣの受信誤り率が高い場合には、パケット送信基地局が送信増加を指示しても、ＴＰＣの受信誤りによって移動局が電力を減少させる確率が高くなるため、時間遅れＴＤ　の間に目標電力値まで増加させることができない可能性がある。
【００３８】
第３に、送信電力制御の制御周期が遅い場合には、時間遅れＴＤ　の間に行われる送信電力制御の回数が少ないため、限られた送信電力増加サイズでは目標電力値まで増加させることができない可能性がある。したがって、このような場合にはＡＣＫ／ＮＡＣＫ信号の劣化が生じる可能性が高くなる。
【００３９】
一方、第２の従来技術では、ＡＣＫ／ＮＡＣＫ信号を送信する際に、所定時間Ｋ前までの間にパケット送信基地局の伝搬損が他のパケット送信基地局より大きくなる割合に応じたオフセット電力を加える。したがって、上述した第１番目のように伝搬損の差が大きい場合でも、Ｋを適当な値と選択することで伝搬損の差をオフセット電力で補える可能性はある。しかしながら、この方法ではＫ毎に常にＴＰＣ信号が異なる数をカウントせねばならず、移動局の処理量が増加するという問題がある。
【００４０】
そこで、本発明の目的は上記の問題点を解消し、パケット送信基地局が十分な品質でＡＣＫ／ＮＡＣＫ信号を受信することができるセルラシステム、移動局、基地局及びそれに用いる送信電力制御方法並びにそのプログラムを提供することにある。
【００４１】
【課題を解決するための手段】
本発明による第１のセルラシステムは、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行うセルラシステムであって、
前記第二の送信電力制御の開始後から前記上り個別チャネルにおいて所定の制御情報を最初に送信するまでの間に予め設定された追加電力値だけ前記上り個別チャネルの送信電力を増加させる手段を備えている。
【００４２】
本発明による第２のセルラシステムは、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報が所定のオフセット電力値を加算して送信されるセルラシステムであって、
前記パケット送信を行う際に前記送信電力制御情報を送信するための電力のオフセット電力値を所定の値だけ増加させる手段を前記パケット送信を行う基地局に備えている。
【００４３】
本発明による第３のセルラシステムは、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムであって、
前記第二の送信電力制御の開始に応じて受信したコマンドの信頼度が所定の閾値より低い場合に受信したコマンドを前記第１のコマンドと判定する暫定送信電力制御を行う手段を備えている。
【００４４】
本発明による第４のセルラシステムは、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムであって、
前記第二の送信電力制御の開始に応じて直前の送信電力変更後から前記第１のコマンド及び前記第２のコマンド各々の受信数のいずれかがそれぞれ対応する閾値以上となった時に前記閾値以上となったコマンドに対応する送信電力制御を行う手段を備えている。
【００４５】
本発明による第５のセルラシステムは、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記移動局が前記送信電力制御情報を所定回数受信した結果に応じて送信電力を制御するセルラシステムであって、
前記第二の送信電力制御の開始に応じて前記所定回数を小さくした暫定送信電力制御を行う手段を備えている。
【００４６】
本発明による第１の移動局は、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行うセルラシステムを構成する移動局であって、
前記第二の送信電力制御を開始してから前記上り個別チャネルにおいて所定の制御情報を最初に送信するまでの間に予め設定された追加電力値だけ前記上り個別チャネルの送信電力を増加させる手段を備えている。
【００４７】
本発明による第２の移動局は、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムを構成する移動局であって、
前記第二の送信電力制御の開始に応じて、受信したコマンドの信頼度が所定の閾値より低い場合に受信したコマンドを前記第１のコマンドと判定する暫定送信電力制御を行う手段を備えている。
【００４８】
本発明による第３の移動局は、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムを構成する移動局であって、
前記第二の送信電力制御の開始に応じて直前の送信電力変更後から前記第１のコマンド及び前記第２のコマンド各々の受信数のいずれかがそれぞれ対応する閾値以上となった時に前記閾値以上となったコマンドに対応する送信電力制御を行う手段を備えている。
【００４９】
本発明による第４の移動局は、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記移動局が前記送信電力制御情報を所定回数受信した結果に応じて送信電力を制御するセルラシステムを構成する移動局であって、
前記第二の送信電力制御の開始に応じて前記所定回数を小さくした暫定送信電力制御を行う手段を備えている。
【００５０】
本発明による基地局は、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報が所定のオフセット電力値を加算して送信されるセルラシステムを構成する基地局であって、
前記パケット送信を行う際に前記送信電力制御情報を送信するための電力のオフセット電力値を所定の値だけ増加させる手段を備えている。
【００５１】
本発明による第１の送信電力制御方法は、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報が所定のオフセット電力値を加算して送信されるセルラシステムの送信電力制御方法であって、
前記第二の送信電力制御を開始後から前記上り個別チャネルにおいて所定の制御情報を最初に送信するまでの間に予め設定された追加電力値だけ前記上り個別チャネルの送信電力を増加させるステップを備えている。
【００５２】
本発明による第２の送信電力制御方法は、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報が所定のオフセット電力値を加算して送信されるセルラシステムの送信電力制御方法であって、
前記パケット送信を行う際に前記送信電力制御情報を送信するための電力のオフセット電力値を所定の値だけ増加させるステップを前記パケット送信を行う基地局に備えている。
【００５３】
本発明による第３の送信電力制御方法は、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムの送信電力制御方法であって、
前記第二の送信電力制御の開始に応じて受信したコマンドの信頼度が所定の閾値より低い場合に受信したコマンドを前記第１のコマンドと判定する暫定送信電力制御を行うステップを備えている。
【００５４】
本発明による第４の送信電力制御方法は、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムの送信電力制御方法であって、
前記第二の送信電力制御の開始に応じて直前の送信電力変更後から前記第１のコマンド及び前記第２のコマンド各々の受信数のいずれかがそれぞれ対応する閾値以上となったかを判定するステップと、前記閾値以上と判定されたコマンドに対応する送信電力制御を行うステップとを備えている。
【００５５】
本発明による第５の送信電力制御方法は、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記移動局が前記送信電力制御情報を所定回数受信した結果に応じて送信電力を制御するセルラシステムの送信電力制御方法であって、
前記第二の送信電力制御の開始に応じて前記所定回数を小さくした暫定送信電力制御を行うステップを備えている。
【００５６】
本発明による第１の送信電力制御方法のプログラムは、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報が所定のオフセット電力値を加算して送信されるセルラシステムの送信電力制御方法のプログラムであって、前記移動局のコンピュータに、前記第二の送信電力制御を開始後から前記上り個別チャネルにおいて所定の制御情報を最初に送信するまでの間に予め設定された追加電力値だけ前記上り個別チャネルの送信電力を増加させる処理を実行させている。
【００５７】
本発明による第２の送信電力制御方法のプログラムは、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報が所定のオフセット電力値を加算して送信されるセルラシステムの送信電力制御方法のプログラムであって、前記パケット送信を行う基地局のコンピュータに、前記パケット送信を行う際に前記送信電力制御情報を送信するための電力のオフセット電力値を所定の値だけ増加させる処理を実行させている。
【００５８】
本発明による第３の送信電力制御方法のプログラムは、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムの送信電力制御方法のプログラムであって、前記移動局のコンピュータに、前記第二の送信電力制御の開始に応じて受信したコマンドの信頼度が所定の閾値より低い場合に受信したコマンドを前記第１のコマンドと判定する暫定送信電力制御を行う処理を実行させている。
【００５９】
本発明による第４の送信電力制御方法のプログラムは、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記送信電力制御情報に電力増加を指示する第１のコマンド及び電力減少を指示する第２のコマンドのうちの少なくとも一方を含むセルラシステムの送信電力制御方法のプログラムであって、前記移動局のコンピュータに、前記第二の送信電力制御の開始に応じて直前の送信電力変更後から前記第１のコマンド及び前記第２のコマンド各々の受信数のいずれかがそれぞれ対応する閾値以上となったかを判定する処理と、前記閾値以上と判定されたコマンドに対応する送信電力制御を行う処理とを実行させている。
【００６０】
本発明による第５の送信電力制御方法のプログラムは、移動局が複数の基地局各々と同時にチャネルを設定するソフトハンドオーバ状態にある基地局全ての下り個別チャネルに含まれる送信電力制御情報に基づいて上り個別チャネルの送信電力を制御する第一の送信電力制御と、パケット送信を行う基地局からの下り個別チャネルに含まれる送信電力制御情報のみに基づいて前記上り個別チャネルの送信電力を制御する第二の送信電力制御とを実行可能とし、前記ソフトハンドオーバ状態にある基地局のうちの特定基地局が前記移動局と共用チャネルを設定して前記パケット送信を行い、前記移動局が前記送信電力制御情報を所定回数受信した結果に応じて送信電力を制御するセルラシステムの送信電力制御方法のプログラムであって、前記移動局のコンピュータに、前記第二の送信電力制御の開始に応じて前記所定回数を小さくした暫定送信電力制御を行う処理を実行させている。
【００６１】
すなわち、本発明の第１のケースでは、移動局がオフセット電力ΔＰを加えることによって、そうでない場合に比べて、より早く送信電力を目標電力値、すなわちパケット送信元の基地局で目標ＳＩＲを満足するために必要な電力値まで増加させることが可能となる。したがって、本発明の第１のケースでは、パケット送信元の基地局でのＡＣＫ／ＮＡＣＫ信号の受信品質を向上させることが可能となる。
【００６２】
また、本発明の第１のケースでは、オフセット電力ΔＰを伝搬損の差に応じて決定することによって、目標電力値との差が大きい場合に大きなオフセット電力を加算し、そうでない場合に小さなオフセット電力を加算することが可能となるので、伝搬損差によらず、十分なＡＣＫ／ＮＡＣＫ信号の受信品質を保ちつつ、上り回線の干渉を低減することが可能となる。
【００６３】
さらに、本発明の第１のケースでは、送信基地局優先制御に切替えた直後にオフセット電力を加算することによって、目標電力値との実際の送信電力差が大きい状態でオフセット電力を加えることが可能となるため、オフセット電力の加算によって目標電力値以上となる可能性を低減し、上り回線の干渉を低減することが可能となる。
【００６４】
本発明の第２のケースでは、移動局がオフセット電力ΔＰを加えることによって、そうでない場合に比べて、より早く送信電力を目標電力値、すなわちパケット送信元の基地局で目標ＳＩＲを満足するために必要な電力値まで増加させることが可能となる。したがって、パケット送信元の基地局でのＡＣＫ／ＮＡＣＫ信号の受信品質を向上させることが可能となる。
【００６５】
また、本発明の第２のケースでは、オフセット電力ΔＰをパケット送信元の基地局が送信電力増加を要求した回数に応じて決定するため、ＡＣＫ／ＮＡＣＫ信号を送信する時点で、まだ目標電力値まで電力を増加しきれていない場合には、要求回数が閾値以上となり、大きなオフセット電力を加算することが可能となる。したがって、ＡＣＫ／ＮＡＣＫ信号の送信時に目標電力値を満足しているかどうかに応じて適切なオフセット電力値を決定することが可能となるため、十分なＡＣＫ／ＮＡＣＫ信号の受信品質を保ちつつ、上り回線の干渉を低減することが可能となる。
【００６６】
さらに、本発明の第２のケースでは、電力増加の要求回数のカウントをパケット受信状態になってから開始すればよいため、それ以外の場合には移動局での処理を低減することが可能となり、上述した第２の従来技術で述べたような問題も解決可能となる。
【００６７】
本発明の第３のケースでは、移動局がパケット送信元の基地局から受信したＴＰＣ信号が所定の品質閾値以下のために破棄される数に応じてオフセット電力を決定している。伝搬損が高い場合にはＴＰＣ信号が劣化する確率も高くなるため、本発明の第３のケースでは、伝搬損が高い場合により高いオフセット電力を加算することが可能となるので、上述した本発明の第１のケースと同様な効果が得られる。
【００６８】
本発明の第４のケースでは、同一の内容であるＴＰＣ信号を複数受信するまで実際の送信電力変更を行わないため、ＴＰＣ受信誤りによって要求と逆の送信電力制御を行う確率を低減させることが可能となる。
【００６９】
また、本発明の第４のケースでは、Ｔｈ＿ＵＰ＜Ｔｈ＿ＤＯＷＮとすることによって、送信電力増加を要求したにも関わらず、ＴＰＣ信号の受信誤りによって送信電力を減少するような誤りを特に低減することが可能となる。
【００７０】
さらに、本発明の第４のケースでは、電力増加に対してより少ないコマンド数で実行するため、電力増加の要求に対する追従性も向上させることが可能となる。これによって、本発明の第４のケースでは、パケット受信中となり、ＡＣＫ／ＮＡＣＫ信号の受信品質を満足させる目標送信電力までの電力増加をより早くすることが可能となり、ＡＣＫ／ＮＡＣＫ信号の受信品質を向上可能となる。
【００７１】
さらにまた、本発明の第４のケースでは、パケット受信中に、パケット送信元の基地局から送信するＴＰＣ信号の送信電力にオフセット電力を加算することによって、移動局におけるパケット送信元の基地局からのＴＰＣ信号の受信誤り率を低減させることが可能となる。
【００７２】
然るに、本発明の第４のケースでは、上述した理由と同じ理由で、ＡＣＫ／ＮＡＣＫ信号の受信品質を向上させることが可能となり、パケット送信を終了した後、加算したＴＰＣ信号のオフセット電力を元の値に戻すことによって、ＡＣＫ／ＮＡＣＫ信号の受信品質を向上させつつ、下り回線の干渉も低減可能となる。
【００７３】
本発明の第５のケースでは、パケット送信元の基地局からのＴＰＣ信号の受信品質が劣化しており、信頼度が低い場合、送信電力を増加させるため、送信電力増加を要求したにも関わらず、ＴＰＣ信号の受信誤りによって送信電力を減少するような誤りを低減させることが可能となる。
【００７４】
通常、伝搬損が高いほど、ＴＰＣ信号の受信品質は劣化する確率が高いため、送信増加の要求をしても受信誤りによって電力が減少し、さらに劣悪な受信品質になってしまう可能性が高い。しかしながら、本発明の第５のケースでは、このような問題も解決可能となり、送信基地局の伝搬損が大きい場合にもＡＣＫ／ＮＡＣＫ信号の受信品質を向上させることが可能となる。
【００７５】
また、本発明の第５のケースでは、送信減少を指示するＴＰＣ信号である場合でも、ＴＰＣ信号の受信品質閾値となることで、送信電力を増加させる場合があるため、目標送信電力へ到達しているにも関わらず、電力増加させてしまう可能性があるが、最初のＡＣＫ／ＮＡＣＫ信号を送信する際に元の条件に戻すことによって、目標送信電力以上となることを防止し、上り回線の干渉を低減可能となる。
【００７６】
本発明の第６のケースでは、送信電力制御周期が長い場合、いわゆる移動局が複数個のＴＰＣ信号を受信した後に、それらの合成結果に基づいて送信電力を更新するような場合に、送信電力制御周期を短くすることが可能となる。したがって、本発明の第６のケースでは、ＴＰＣ信号によって要求される電力制御への追従性が高くなり、パケット受信開始からＡＣＫ／ＮＡＣＫ信号を送信するまでの限られた時間内に目標送信電力まで送信電力を増加させることが可能となり、パケット送信基地局でのＡＣＫ／ＮＡＣＫ信号の品質を向上させることが可能となる。
【００７７】
また、本発明の第６のケースでは、最初のＡＣＫ／ＮＡＣＫ信号を送信した後に、通常の送信電力制御周期に戻すため、目標送信電力に到達した頃に、複数個のＴＰＣ信号を合成することによって、ＴＰＣ信号の信頼度を高め、ＴＰＣ信号の受信誤り率を低減することも可能となる。
【００７８】
以上述べたように、本発明によれば、移動局がソフトハンドオーバ状態にあって複数の基地局とＤＰＣＨを設定している状態で、かつ、パケット送信元の基地局の伝搬損がそれ以外の接続基地局の伝搬損よりも大きい場合にも、適切なオフセット電力を加算することが可能となり、上り回線の干渉を低減しつつパケット送信元の基地局が十分な品質でＡＣＫ／ＮＡＣＫ信号を受信することが可能となる。
【００７９】
また、本発明では、ＴＰＣ信号の受信誤りによって、送信電力を増加するべき状態であるにも関わらず電力減少する確率を低減できるため、パケット送信元の基地局が十分な品質でＡＣＫ／ＮＡＣＫ信号を受信可能となる。
【００８０】
さらに、本発明では、送信電力周期を短くし、送信基地局の電力増加要求への追従性を高めることが可能となるため、パケット送信基地局が十分な品質でＡＣＫ／ＮＡＣＫ信号を受信することが可能となる。
【００８１】
これによって、本発明では、ＡＣＫ／ＮＡＣＫ信号の誤り率が減少して、パケットロスがなくなり、スループットの向上を図ることが可能となり、上述したＡＣＫ／ＮＡＣＫ信号の誤り率の低減制御に用いる指標を決定する手順を、パケット受信開始に応じて行うことで、移動局の処理量が低減可能となる。
【００８２】
【発明の実施の形態】
次に、本発明の実施例について図面を参照して説明する。図１は本発明の第１の実施例によるセルラシステムの構成を示すブロック図である。図１において、本発明の第１の実施例によるセルラシステムは基地局１−１，１−２と、移動局２−１〜２−３とから構成されている。尚、基地局１−１と基地局１−２とは異なるセルに設けられているものとする。
【００８３】
また、本実施例では、３個の移動局２−１〜２−３に対して２個の基地局１−１，１−２が存在する場合について説明するが、これに限定されるものではなく、３個の移動局２−１〜２−３に対して３個以上の基地局が存在する場合にも適用が可能である。一般的に、１個の基地局に対して多数の移動局が存在する。
【００８４】
さらに、同じ送信システム内に移動局が４個以上存在する場合にも本発明の適用が可能であり、図１では３個の移動局２−１〜２−３が存在する場合を一例として示している。さらにまた、基地局１−１，１−２と移動局２−１〜２−３との間の無線アクセス方式としてＣＤＭＡ（Ｃｏｄｅ　Ｄｉｖｉｓｉｏｎ　Ｍｕｌｔｉｐｌｅ　Ａｃｃｅｓｓ）方式が用いられている。
【００８５】
図１において、基地局１−１から移動局２−１へはＨＳ−ＰＤＳＣＨ（Ｈｉｇｈ−Ｓｐｅｅｄ　Ｐｈｙｓｉｃａｌ　Ｄｏｗｎｌｉｎｋ　Ｓｈａｒｅｄ　Ｃｈａｎｎｅｌ）の信号と、ＤＬ（Ｄｏｗｎ−Ｌｉｎｋ：基地局から移動局への送信）ＤＰＣＨ（Ｄｅｄｉｃａｔｅｄ　Ｐｈｙｓｉｃａｌ　Ｃｈａｎｎｅｌ）（１）の信号と、ＣＰＩＣＨ（Ｃｏｍｍｏｎ　Ｐｉｌｏｔ　Ｃｈａｎｎｅｌ）（１）の信号と、ＨＳ−ＳＣＣＨ（Ｈｉｇｈ−Ｓｐｅｅｄ　Ｓｈａｒｅｄ　Ｃｏｎｔｒｏｌ
Ｃｈａｎｎｅｌ）の信号が送信される。
【００８６】
また、移動局２−１から基地局１−１へはＵＬ（Ｕｐ−Ｌｉｎｋ：移動局から基地局への送信）ＤＰＣＨ（１）と、ＨＳ−ＤＰＣＣＨ（Ｈｉｇｈ−ＳｐｅｅｄＤｅｄｉｃａｔｅｄ　Ｐｈｙｓｉｃａｌ　Ｃｏｎｔｒｏｌ　Ｃｈａｎｎｅｌ）（ＵＬ）の信号が送信される。
【００８７】
同様に、基地局１−２から移動局２−１へはＤＬ　ＤＰＣＨ（２）の信号と、ＣＰＩＣＨ（２）の信号とが送信される。また、移動局２−１から基地局１−２へはＵＬ　ＤＰＣＨ（２）の信号が送信される。この場合、ＵＬ　ＤＰＣＨ（２）はＵＬ　ＤＰＣＨ（１）と受信する基地局は異なるが、移動局の送信信号としてはＵＬ　ＤＰＣＨ（１）と同一である。
【００８８】
ＨＳ−ＰＤＳＣＨは高速なチャネルであり、動画等の大きなファイルを短時間で送受信するために用いられる。また、ＣＰＩＣＨは共通パイロットチャネル（ＤＬのみ）であり、このチャネルを介して基地局１−１，１−２から移動局２−１へ共通パイロット信号が常時送信されている。
【００８９】
また、ＤＰＣＨは個別（物理）チャネル（ＵＬ及びＤＬ）であり、ＤＰＣＣＨとＤＰＤＣＨとから構成されていることは、上述した通りである。さらに、ＨＳ−ＤＰＣＣＨにはＡＣＫ／ＮＡＣＫ信号や下り回線の伝搬路の品質を示すＣＱＩ（Ｃｈａｎｎｅｌ　Ｑｕａｌｉｔｙ　Ｉｎｄｉｃａｔｏｒ）等が含まれていることも上述した通りであり、これ等のＤＰＣＣＨとＨＳ−ＤＰＣＣＨとの送信電力の関係は、上記の（１）式に示した通りである。さらにまた、ＨＳ−ＳＣＣＨはパケット送信先の移動局情報やパケット受信時に必要な制御情報が送信されることも上述した通りである。
【００９０】
各基地局１−１，１−２はＣＰＩＣＨ（１），ＣＰＩＣＨ（２）をそれぞれ送信しており、このＣＰＩＣＨはセル毎に異なるスクランブル符号によって拡散されており、各移動局２−１〜２−３はスクランブル符号の相違によってセルの識別を行う。各移動局２−１〜２−３は下りデータを受信する時、１つまたは複数の基地局との間でＤＰＣＨ（ＵＬ／ＤＬ）を設定してデータ受信待ちの状態となる。
【００９１】
１つの移動局２−１は基地局１−１，１−２との間でＣＰＩＣＨの受信電力の差が所定値以下の場合、基地局１−１のみならず基地局１−２ともＤＰＣＨを設定し、複数の基地局１−１，１−２とＤＰＣＨを設定している状態（ソフトハンドオーバ）になっている。
【００９２】
ＵＬ及びＤＬのＤＰＣＨには、所定のビット系列からなる個別パイロット信号（Ｐｉｌｏｔ）が含まれている。ＵＬのＤＰＣＨ送信電力は高速閉ループ型の送信電力制御によって制御されており、この制御では基地局がＵＬのＤＰＣＨの個別パイロット信号を用いてＤＰＣＨの受信ＳＩＲ（Ｓｉｇｎａｌ　ｔｏ　Ｉｎｔｅｒｆｅｒｅｎｃｅ　Ｒａｔｉｏ）を測定し、その測定値とその基地局が有する目標ＳＩＲとを比較する。
【００９３】
この測定値が目標ＳＩＲより小さい場合には「パワ−アップ」のＴＰＣ（Ｔｒａｎｓｍｉｔ　Ｐｏｗｅｒ　Ｃｏｎｔｒｏｌ）ビット、それ以外は「パワ−ダウン」のＴＰＣビットを、ＤＬのＤＰＣＨ（１），ＤＰＣＨ（２）を用いて移動局２−１に通知する。尚、この目標ＳＩＲの値はＲＮＣ（Ｒａｄｉｏ　Ｎｅｔｗｏｒｋ　Ｃｏｎｔｒｏｌｌｅｒ：無線ネットワーク制御局）（図示せず）から通知される。
【００９４】
各基地局１−１，１−２はＨＳ−ＰＤＳＣＨを送信しており、このＨＳ−ＰＤＳＣＨはＤＰＣＨよりも高速のチャネルであり、ＤＬのＤＰＣＨよりも大きな電力で送信される。各基地局１−１，１−２は１つのＨＳ−ＰＤＳＣＨを複数の移動局２−１〜２−３に対するデータの送信に使用する。
【００９５】
通信網から移動局２−１に対して送信するデータがＲＮＣに到着すると、ＲＮＣはそのデータを移動局２−１がＤＰＣＨを設定している基地局１−１または基地局１−２へ送る。この場合、データは基地局１−１に送られるものとする。
【００９６】
図２は本発明の第１の実施例によるセルラシステムの動作を示すシーケンスチャートである。これら図１及び図２を参照して本発明の第１の実施例によるセルラシステムの動作について説明する。尚、以下の説明では図２のＭＳが移動局２−１、ＢＳが基地局１−１をそれぞれ示すものとする。
【００９７】
通信網から移動局２−１に送信すべきデータがＲＮＣに到着すると、ＲＣＮはそのデータを、移動局２−１がＤＰＣＨを設定している基地局１−１へ送る（図２のａ１）。基地局１−１はデータを転送する旨の予告（データ送信予告）を移動局２−１に対して行う（図２のａ２）。
【００９８】
移動局２−１は基地局１−１からのデータ転送予告受信後、パケット送信元の基地局１−１が送信するＴＰＣ信号のみにしたがって自局が送信するＵＬ　ＤＰＣＨの送信電力の制御を行うように切替える（図２のａ３）。これと同時に、移動局２−１は基地局１−１，１−２が所定の送信電力で送信しているＣＰＩＣＨ（１）、ＣＰＩＣＨ（２）の受信品質の測定結果から基地局１−１との伝搬損ＰＬ１と基地局１−２との伝搬損ＰＬ２の差ΔＰＬ（＝ＰＬ１−ＰＬ２）を推定する（図２のａ４）。移動局２−１はこのΔＰＬに応じて決定されるオフセット電力ＰだけＵＬ　ＤＰＣＨの送信電力に加算する（図２のａ５）。
【００９９】
基地局１−１からデータをブロックに分割した最初のパケット＃１が、ＨＳ−ＰＤＳＣＨを用いて移動局２−１へ送信され（図２のａ６）、移動局２−１にてこのパケット＃１を正しく受信したとすると、ＡＣＫがＨＳ−ＤＰＣＣＨを用いて基地局１−１へ送信される（図２のａ７）。
【０１００】
以下、上記と同様に、パケット＃２が基地局１−１から送信され（図２のａ８）、移動局２−１からＡＣＫが基地局１−１ヘ送信される（図２のａ９）。また、パケット＃３が基地局１−１から送信され（図２のａ１０）、移動局２−１からＡＣＫが基地局１−１ヘ送信される（図２のａ１１）。
【０１０１】
データ送信が終了すると、基地局１−１は移動局２−１に対してデータ終了（Ｅｎｄ　ｏｆ　Ｄａｔａ）を通知する（図２のａ１２）。データ送信の終了に応答して、移動局２−１においては、上記のａ３の処理でパケット送信元の基地局１−１のＴＰＣ信号のみでＵＬ　ＤＰＣＨの送信な電力を制御するようにしたのを、ソフトハンドオーバ中の全ての基地局のＴＰＣ信号を用いて、ＵＬ　ＤＰＣＨの送信電力を制御する状態、つまり元の状態に戻す（図２のａ１３）。尚、データ終了（Ｅｎｄ　ｏｆ　Ｄａｔａ）の通知の代わりに、所定の時間、パケットが送信されてこなかった場合に、パケット送信前の元の状態に戻すようにすることもできる。
【０１０２】
図３は図１の基地局１−１，１−２の構成を示すブロック図である。図３においては、基地局１−１，１−２を基地局１として表す。基地局１はアンテナ１１と、アンテナ共用器（ＤＵＰ：Ｄｕｐｌｅｘｅｒ）１２と、受信部１３と、チャネル分離器１４と、制御部（ＣＰＵ：中央処理装置）１５と、メモリ１６と、チャネル合成部１７と、増幅部（アンプ）１８と、送信部１９とから構成されている。
【０１０３】
基地局１においては、アンテナ１１からの受信信号がアンテナ共用器１２を介して受信部１３へ入力され、増幅、周波数変換、復調等の処理がなされる。復調出力はチャネル分離器１４によってユーザ情報と各種制御情報とに分離される。これらの制御情報は制御部１５へ入力され、その制御情報に基づいてメモリ１６に予め格納されているプログラムが実行される。
【０１０４】
一方、移動局２−１〜２−３に対するユーザ情報や制御情報はチャネル合成部１７にて合成され、増幅部１８によって増幅されて送信部１９へ供給され、変調や周波数変換等の処理がなされて、アンテナ共用器１２及びアンテナ１１を介して送信される。
【０１０５】
図４は図１の移動局２−１〜２−３の構成を示すブロック図である。図４においては、移動局２−１〜２−３を移動局２として表している。移動局２はアンテナ２１と、アンテナ共用器（ＤＵＰ）２２と、受信部２３と、チャネル分離器２４と、制御部２５と、メモリ２６と、チャネル合成部２７と、増幅部（アンプ）２８と、送信部２９と、受信品質測定部３０とから構成されている。
【０１０６】
移動局２においては、アンテナ２１からの受信信号がアンテナ共用器２２を介して受信部２３へ供給され、増幅、周波数変換、復調等の処理がなされる。復調出力はチャネル分離器２４によって、ユーザ情報と、制御情報であるＴＰＣ信号とに分離され、ＴＰＣ信号は制御部２５へ入力される。また、受信したパイロット信号やＴＰＣ信号の受信品質は受信品質測定部３０で測定され、それらの測定結果も制御部２５へ入力される。制御部２５では、図２に示すシーケンスにおいてａ３，ａ４，ａ５，ａ１３の処理が、メモリ２６に予め格納されているプログラム手順にしたがって実行される。
【０１０７】
一方、基地局１−１，１−２に対するユーザ情報や制御情報はチャネル合成部２７にて合成され、増幅部２８によって増幅されて送信部２９へ供給され、変調や周波数変換等の処理がなされて、アンテナ共用器２２及びアンテナ２１を介して送信される。
【０１０８】
図５は図１の移動局２−１〜２−３の動作を示すフローチャートである。これら図１と図３〜図５とを移動局２−１〜２−３の動作について説明する。尚、以下の説明では移動局２−１〜２−３を図４と同様に移動局２とする。
【０１０９】
移動局２は周期的に各接続基地局から送信されるＣＰＩＣＨの受信品質を測定する（図５ステップＳ１）。また、移動局２は各接続基地局が送信するＴＰＣ信号を受信し、パケット受信中である場合（図５ステップＳ２）、パケット送信セルのＴＰＣ信号のみに基づいた「送信基地局優先制御」でＵＬ　ＤＰＣＨ送信電力Ｐｄｐｃｈ［ｄＢ］を決定する（図５ステップＳ３）。
【０１１０】
移動局２はそれ以外の場合（図５ステップＳ２）、全ての接続基地局が送信するＴＰＣ信号の中に１つでも送信電力減少を指示するＴＰＣ信号が含まれていれば、送信電力を所定の電力ステップだけ減少し、それ以外は所定の電力ステップだけ送信電力を増加する「下げろ優先制御」に基づいて送信電力Ｐｄｐｃｈ［ｄＢ］を決定する（図５ステップＳ４）。
【０１１１】
但し、移動局２はパケット受信を開始し、「下げろ優先制御」から「送信基地局優先制御」へ切替えた直後である場合（図５ステップＳ５）、パケット送信電力の伝搬損ＰＬｓｒｖと他の接続基地局の伝搬損ＰＬｎ−ｓｒｖとの差ΔＰＬ（＝ＰＬｓｒｖ−Ｐｎ−ｓｒｖ）をＣＰＩＣＨの受信品質から推定する（図５ステップＳ６）。
【０１１２】
移動局２はΔＰＬを所定の閾値ＰＬｔｈと比較し、ΔＰＬ＞ＰＬｔｈであれば（図５ステップＳ７）、オフセット電力をΔＰ＝Ｐ１［ｄＢ］とし（図５ステップＳ８）、ΔＰＬ＜ＰＬｔｈであれば（図５ステップＳ７）、オフセット電力をΔＰ＝Ｐ２［ｄＢ］として（図５ステップＳ９）、ＤＰＣＨの送信電力Ｐｄｐｃｈ［ｄＢ］を、オフセットΔＰを加えた値に更新する（図５ステップＳ１０）。ここで、Ｐ１＞Ｐ２とする。
【０１１３】
その後、移動局２はＤＰＣＨをＰｄｐｃｈの送信電力で、ＨＳ−ＤＰＣＣＨをＰｈｓ＝Ｐｄｐｃｈ＋ΔＰｈｓの送信電力でそれぞれ送信する（図５ステップＳ１１）。ここで、ΔＰｈｓは予め与えられているＨＳ−ＤＰＣＣＨのためのオフセット電力である。
【０１１４】
移動局２は以上の動作を所定の周期で繰返し行う。尚、本実施例では、オフセット電力値としてＰ１とＰ２との２つを設定したが、閾値を複数設定して、３つ以上のオフセット電力値を設定してもよい。
【０１１５】
このように、本実施例では、移動局２がオフセット電力ΔＰを加えることによって、そうでない場合に比べて、より早く送信電力を目標電力値、すなわちパケット送信元の基地局１−１で目標ＳＩＲを満足するために必要な電力値まで増加させることが可能となる。したがって、本実施例ではパケット送信元の基地局でのＡＣＫ／ＮＡＣＫ信号の受信品質を向上させることができるという効果が得られる。
【０１１６】
また、本実施例では、オフセット電力ΔＰを伝搬損の差に応じて決定することによって、目標電力値との差が大きい場合に大きなオフセット電力を加算し、そうでない場合に小さなオフセット電力を加算することができる。したがって、本実施例では、伝搬損差によらず、十分なＡＣＫ／ＮＡＣＫ信号の受信品質を保ちつつ、上り回線の干渉を低減することができる。
【０１１７】
さらに、本実施例では、送信基地局優先制御に切替えた直後にオフセット電力を加算することによって、目標電力値との実際の送信電力差が大きい状態でオフセット電力を加えることができるため、オフセット電力の加算によって目標電力値以上となる可能性を低減し、上り回線の干渉を低減することができる。
【０１１８】
図６は本発明の第２の実施例によるセルラシステムの動作を示すシーケンスチャートである。本発明の第２の実施例では、図１に示す本発明の第１の実施例によるセルラシステムの構成と同様の構成となっており、基地局１−１，１−２及び移動局２−１〜２−３の構成も図３及び図４に示す本発明の第１の実施例と同様の構成となっている。以下、図１と図３と図４と図６とを参照して本発明の第２の実施例について説明する。
【０１１９】
通信網から移動局２−１に送信すべきデータがＲＮＣに到着すると、ＲＮＣはそのデータを移動局２−１がＤＰＣＨを設定している基地局１−１へ送る（図６のｂ１）。基地局１−１はデータを転送する旨の予告（データ送信予告）を移動局２−１に対して行う（図６のｂ２）。
【０１２０】
移動局２−１は基地局１−１からのデータ転送予告を受信後、パケット送信元の基地局１−１が送信するＴＰＣ信号のみにしたがって自局が送信するＵＬ　ＤＰＣＨの送信電力の制御を行うように切替える（図６のｂ３）。これと同時に、移動局２−１は基地局１−１から電力増加を指示するＴＰＣ信号（ＴＰＣ＿ＵＰ）を受信した回数Ｎｕｐのカウントを開始する（図６のｂ４）。
【０１２１】
基地局１−１からデータをブロックに分割した最初のパケット＃１が、ＨＳ−ＰＤＳＣＨを用いて移動局２−１へ送信され（図６のｂ５）、移動局２−１にてこのパケット＃１を正しく受信したとすると、ＡＣＫがＨＳ−ＤＰＣＣＨを用いて基地局１−１へ送信される（図６のｂ７）。この時、移動局２−１は上記の回数Ｎｕｐに応じて決定されるオフセット電力をＵＬ　ＤＰＣＨの送信電力に加算する（図６のｂ６）。
【０１２２】
以下、上記と同様に、パケット＃２が基地局１−１から送信され（図６のｂ８）、移動局２−１からＡＣＫが基地局１−１ヘ送信される（図６のｂ９）。また、パケット＃３が基地局１−１から送信され（図６のｂ１０）、移動局２−１からＡＣＫが基地局１−１ヘ送信される（図６のｂ１１）。
【０１２３】
データ送信が終了すると、基地局１−１は移動局２−１に対してデータ終了（Ｅｎｄ　ｏｆ　Ｄａｔａ）を通知する（図６のｂ１２）。データ送信の終了に応答して、移動局２−１においては、上記のｂ３の処理でパケット送信元の基地局１−１のＴＰＣ信号のみでＵＬ　ＤＰＣＨの送信な電力を制御するようにしたのを、ソフトハンドオーバ中の全ての基地局のＴＰＣ信号を用いて、ＵＬ　ＤＰＣＨの送信電力を制御する状態、つまり元の状態に戻す（図６のｂ１３）。尚、データ終了（Ｅｎｄ　ｏｆ　Ｄａｔａ）の通知の代わりに、所定の時間、パケットが送信されてこなかった場合に、パケット送信前の元の状態に戻すようにすることもできる。
【０１２４】
図７は本発明の第２の実施例による移動局２の動作を示すフローチャートである。これら図１と図３と図４と図７とを参照して本発明の第２の実施例による移動局２の動作について説明する。
【０１２５】
移動局２は各接続基地局が送信するＴＰＣ信号を受信し、パケット受信中であれば（図７ステップＳ２１）、パケット送信元の基地局１−１のＴＰＣ信号のみに基づいた「送信基地局優先制御」でＵＬ　ＤＰＣＨ送信電力Ｐｄｐｃｈ［ｄＢ］を決定する（図７ステップＳ２２）。
【０１２６】
移動局２はそれ以外であれば（図７ステップＳ２１）、全ての接続基地局が送信するＴＰＣ信号の中に１つでも送信電力減少を指示するＴＰＣ信号が含まれている場合、送信電力を所定の電力ステップだけ減少し、それ以外は所定の電力ステップだけ送信電力を増加する「下げろ優先制御」に基づいて送信電力Ｐｄｐｃｈ［ｄＢ］を決定する（図７ステップＳ２３）。
【０１２７】
また、移動局２はパケット受信を開始し、初めのＡＣＫ／ＮＡＣＫ信号を送信する前であれば（図７ステップＳ２４）、パケット送信元の基地局１−１のＴＰＣ信号が電力増加を指示する回数Ｎｕｐをカウントする（図７ステップＳ２５）。
【０１２８】
移動局２は初めのＡＣＫ／ＮＡＣＫ信号を送信する場合（図７ステップＳ２６）、上記の回数Ｎｕｐを所定の閾値Ｎｔｈと比較し、Ｎｕｐ＞Ｎｔｈであれば（図７ステップＳ２７）、オフセット電力をΔＰ＝Ｐ１［ｄＢ］とし（図７ステップＳ２８）、Ｎｕｐ＜Ｎｔｈであれば（図７ステップＳ２７）、オフセット電力をΔＰ＝Ｐ２［ｄＢ］として（図７ステップＳ２９）、ＤＰＣＨの送信電力Ｐｄｐｃｈ［ｄＢ］を、オフセットΔＰを加えた値に更新し、同時にＮｕｐを０にリセットする（図７ステップＳ３０）。ここで、Ｐ１＞Ｐ２とする。
【０１２９】
その後、移動局２はＤＰＣＨをＰｄｐｃｈの送信電力で、ＨＳ−ＤＰＣＣＨをＰｈｓ＝Ｐｄｐｃｈ＋ΔＰｈｓの送信電力でそれぞれ送信する（図７ステップＳ３１）。ここで、ΔＰｈｓは予め与えられているＨＳ−ＤＰＣＣＨのためのオフセット電力である。移動局２は以上の動作を所定の周期で繰返し行う。
【０１３０】
このように、本実施例では、移動局２がオフセット電力ΔＰを加えることによって、そうでない場合に比べて、より早く送信電力を目標電力値、すなわちパケット送信元の基地局１−１で目標ＳＩＲを満足するために必要な電力値まで増加させることが可能となる。したがって、パケット送信元の基地局１−１でのＡＣＫ／ＮＡＣＫ信号の受信品質を向上させることができるという効果が得られる。
【０１３１】
また、本実施例では、オフセット電力ΔＰをパケット送信元の基地局１−１が送信電力増加を要求した回数に応じて決定するため、ＡＣＫ／ＮＡＣＫ信号を送信する時点で、まだ目標電力値まで電力を増加しきれていない場合には、要求回数が閾値以上となり、大きなオフセット電力を加算することができる。したがって、ＡＣＫ／ＮＡＣＫ信号の送信時に目標電力値を満足しているかどうかに応じて適切なオフセット電力値を決定することができるため、十分なＡＣＫ／ＮＡＣＫ信号の受信品質を保ちつつ、上り回線の干渉を低減することができる。
【０１３２】
さらに、本実施例では、電力増加の要求回数のカウントをパケット受信状態になってから開始すればよいため、それ以外の場合には移動局２での処理を低減することができるため、上述した第２の従来技術で述べたような問題も解決することができる。
【０１３３】
尚、本実施例では、オフセット電力値としてＰ１とＰ２との２つを設定したが、閾値を複数設定して、３つ以上のオフセット電力値を設定してもよい。また、本実施例では、オフセット電力ΔＰを決定するために、パケット送信元の基地局１−１が送信電力増加を要求した回数に応じて決定したが、パケット送信元の基地局１−１から受信したＴＰＣ信号が電力増加を要求し、かつ、その他の接続基地局から受信したＴＰＣ信号が送信電力減少を要求する場合の回数に応じて決定してもよい。
【０１３４】
図８は本発明の第３の実施例によるセルラシステムの動作を示すシーケンスチャートである。本発明の第３の実施例では、図１に示す本発明の第１の実施例によるセルラシステムの構成と同様の構成となっており、基地局１−１，１−２及び移動局２−１〜２−３の構成も図３及び図４に示す本発明の第１の実施例と同様の構成となっている。以下、図１と図３と図４と図８とを参照して本発明の第３の実施例について説明する。
【０１３５】
本発明の第３の実施例では、本発明の第１の実施例と比べると、本発明の第１の実施例がＣＰＩＣＨの受信品質から推定した伝搬損に応じてオフセット電力を決定しているのに対し、パケット送信元の基地局が送信したＴＰＣ信号の受信品質が所定の閾値以下であるために破棄された数に応じてオフセット電力を決定しており、それ以外の動作は本発明の第１の実施例と同様である。
【０１３６】
通信網から移動局２−１に送信すべきデータがＲＮＣに到着すると、ＲＣＮはそのデータを、移動局２−１がＤＰＣＨを設定している基地局１−１へ送る（図８のｃ１）。基地局１−１はデータを転送する旨の予告（データ送信予告）を移動局２−１に対して行う（図８のｃ２）。
【０１３７】
移動局２−１は基地局１−１からのデータ転送予告を受信後、パケット送信元の基地局１−１が送信するＴＰＣ信号のみにしたがって自局が送信するＵＬ　ＤＰＣＨの送信電力の制御を行うように切替える（図８のｃ３）。これと同時に、移動局２−１はパケット送信元の基地局１−１が送信したＴＰＣ信号の受信品質が所定の閾値以下であるために破棄された数に応じてオフセット電力を決定し、このオフセット電力だけＵＬ　ＤＰＣＨの送信電力に加算する（図８のｃ４）。
【０１３８】
基地局１−１からデータをブロックに分割した最初のパケット＃１が、ＨＳ−ＰＤＳＣＨを用いて移動局２−１へ送信され（図８のｃ５）、移動局２−１にてこのパケット＃１を正しく受信したとすると、ＡＣＫがＨＳ−ＤＰＣＣＨを用いて基地局１−１へ送信される（図８のｃ６）。
【０１３９】
以下、上記と同様に、パケット＃２が基地局１−１から送信され（図８のｃ７）、移動局２−１からＡＣＫが基地局１−１ヘ送信される（図８のｃ８）。また、パケット＃３が基地局１−１から送信され（図８のｃ９）、移動局２−１からＡＣＫが基地局１−１ヘ送信される（図８のｃ１０）。
【０１４０】
データ送信が終了すると、基地局１−１は移動局２−１に対してデータ終了（Ｅｎｄ　ｏｆ　Ｄａｔａ）を通知する（図８のｃ１１）。データ送信の終了に応答して、移動局２−１においては、上記のｃ３の処理でパケット送信元の基地局１−１のＴＰＣ信号のみでＵＬ　ＤＰＣＨの送信な電力を制御するようにしたのを、ソフトハンドオーバ中の全ての基地局のＴＰＣ信号を用いて、ＵＬ　ＤＰＣＨの送信電力を制御する状態、つまり元の状態に戻す（図８のｃ１２）。尚、データ終了（Ｅｎｄ　ｏｆ　Ｄａｔａ）の通知の代わりに、所定の時間、パケットが送信されてこなかった場合に、パケット送信前の元の状態に戻すようにすることもできる。
【０１４１】
図９は本発明の第３の実施例による移動局２の動作を示すフローチャートである。これら図１と図３と図４と図９とを参照して本発明の第３の実施例による移動局２の動作について説明する。
【０１４２】
移動局２は所定の周期でパケット送信元の基地局１−１から受信するＴＰＣ信号が品質閾値以下であるために破棄される破棄回数Ｎｉｇｎをカウントする（図９ステップＳ４１）。また、移動局２は各接続基地局が送信するＴＰＣ信号を受信し、パケット受信中である場合（図９ステップＳ４２）、パケット送信セルのＴＰＣ信号のみに基づいた「送信基地局優先制御」でＵＬ　ＤＰＣＨ送信電力Ｐｄｐｃｈ［ｄＢ］を決定する（図９ステップＳ４３）。
【０１４３】
移動局２はそれ以外の場合（図９ステップＳ４２）、全ての接続基地局が送信するＴＰＣ信号の中に１つでも送信電力減少を指示するＴＰＣ信号が含まれていれば、送信電力を所定の電力ステップだけ減少し、それ以外は所定の電力ステップだけ送信電力を増加する「下げろ優先制御」に基づいて送信電力Ｐｄｐｃｈ［ｄＢ］を決定する（図９ステップＳ４４）。
【０１４４】
移動局２はパケット受信を開始し、「下げろ優先制御」から「送信基地局優先制御」へ切替えた直後である場合（図９ステップＳ４５）、破棄回数Ｎｉｇｎを所定の閾値Ｎｉｔｈと比較し、Ｎｉｇｎ＞Ｎｉｔｈであれば（図９ステップＳ４６）、オフセット電力をΔＰ＝Ｐ１［ｄＢ］とし（図９ステップＳ４７）、Ｎｉｇｎ＜Ｎｉｔｈであれば（図９ステップＳ４６）、オフセット電力をΔＰ＝Ｐ２［ｄＢ］として（図９ステップＳ４８）、ＤＰＣＨの送信電力Ｐｄｐｃｈ［ｄＢ］を、オフセットΔＰを加えた値に更新する（図９ステップＳ４９）。ここで、Ｐ１＞Ｐ２とする。
【０１４５】
その後、移動局２はＤＰＣＨをＰｄｐｃｈの送信電力で、ＨＳ−ＤＰＣＣＨをＰｈｓ＝Ｐｄｐｃｈ＋ΔＰｈｓの送信電力でそれぞれ送信する（図９ステップＳ５０）。ここで、ΔＰｈｓは予め与えられているＨＳ−ＤＰＣＣＨのためのオフセット電力である。
【０１４６】
移動局２は以上の動作を所定の周期で繰返し行う。尚、本実施例では、オフセット電力値としてＰ１とＰ２との２つを設定したが、閾値を複数設定して、３つ以上のオフセット電力値を設定してもよい。
【０１４７】
このように、本実施例では、移動局２がパケット送信元の基地局１−１から受信したＴＰＣ信号が所定の品質閾値以下のために破棄される数に応じてオフセット電力を決定する。伝搬損が高い場合にはＴＰＣ信号が劣化する確率も高くなるため、本実施例では伝搬損が高い場合により高いオフセット電力を加算することができるようになる。したがって、本実施例は上述した本発明の第１の実施例と同様な効果が得られる。
【０１４８】
図１０は本発明の第４の実施例によるセルラシステムの動作を示すシーケンスチャートである。本発明の第４の実施例では、図１に示す本発明の第１の実施例によるセルラシステムの構成と同様の構成となっており、基地局１−１，１−２及び移動局２−１〜２−３の構成も図３及び図４に示す本発明の第１の実施例と同様の構成となっている。以下、図１と図３と図４と図１０とを参照して本発明の第４の実施例について説明する。
【０１４９】
通信網から移動局２−１に送信すべきデータがＲＮＣに到着すると、ＲＮＣはそのデータを移動局２−１がＤＰＣＨを設定している基地局１−１へ送る（図１０のｄ１）。基地局１−１はデータを転送する旨の予告（データ送信予告）を移動局２−１に対して行う（図１０のｄ２）。これと同時に、基地局１−１は移動局２−１に対するＴＰＣ信号の送信フィールドにおける送信電力に所定のオフセット値を加算する（図１０のｄ３）。
【０１５０】
移動局２−１は基地局１−１からのデータ転送予告を受信後、パケット送信元の基地局１−１が送信するＴＰＣ信号のみにしたがって自局が送信するＵＬ　ＤＰＣＨの送信電力の制御を行うように切替える（図１０のｄ４）。これと同時に、移動局２−１は受信したＴＰＣ信号に対する実行条件を以下のように変更する（図１０のｄ５）。すなわち、移動局２−１は直前の送信電力変更の後から受信したＴＰＣ信号のうち、各々、電力増加を受信した回数ＴＰＣ＿ＵＰと、電力減少を受信した回数ＴＰＣ＿ＤＯＷＮとをカウントする。
【０１５１】
移動局２−１はこれらの受信回数のうちどちらかが、各々に対する所定の閾値Ｔｈ＿ＵＰ、もしくはＴｈ＿ＤＯＷＮより大きくなった時に、該当する送信電力制御を実行する。すなわち、例えば、電力減少を示すＴＰＣ信号の受信回数ＴＰＣ＿ＤＯＷＮがＴＰＣ＿ＤＯＷＮ＞Ｔｈ＿ＤＯＷＮとなった時点で、移動局２−１は送信電力を減少するようにする。また、この所定の閾値はＴＰＣ＿ＵＰ＜ＴＰＣ＿ＤＯＷＮと設定するようにする。
【０１５２】
基地局１−１からデータをブロックに分割した最初のパケット＃１が、ＨＳ−ＰＤＳＣＨを用いて移動局２−１へ送信され（図１０のｄ６）、移動局２−１にてこのパケット＃１を正しく受信したとすると、ＡＣＫがＨＳ−ＤＰＣＣＨを用いて基地局１−１へ送信される（図１０のｄ７）。
【０１５３】
以下、上記と同様に、パケット＃２が基地局１−１から送信され（図１０のｄ８）、移動局２−１からＡＣＫが基地局１−１ヘ送信される（図１０のｄ９）。パケット＃３が基地局１−１から送信され（図１０のｄ１０）、移動局２−１からＡＣＫが基地局１−１ヘ送信される（図１０のｄ１１）。
【０１５４】
データ送信が終了すると、基地局１−１は移動局２−１に対してデータ終了（Ｅｎｄ　ｏｆ　Ｄａｔａ）を通知する（図１０のｄ１２）。これと同時に、基地局１−１は、上記のｄ３の処理で移動局２−１に対するＴＰＣ信号の送信電力に加えたオフセットを元の値に戻す（図１０のｄ１３）。
【０１５５】
また、移動局２−１においては、データ送信の終了に応答して、上記のｄ４の処理でパケット送信元の基地局１−１のＴＰＣ信号のみでＵＬ　ＤＰＣＨの送信な電力を制御するようにしたのを、ソフトハンドオーバ中の全ての基地局のＴＰＣ信号を用いて、ＵＬ　ＤＰＣＨの送信電力を制御する状態、つまり元の状態に戻すとともに、上記のｄ５の処理で変更した、受信したＴＰＣ信号の実行条件を元の実行条件に戻す（図１０のｄ１４）。
【０１５６】
尚、上述したデータ終了（Ｅｎｄ　ｏｆ　Ｄａｔａ）の通知の代わりに、所定の時間、パケットが送信されてこなかった場合に、パケット送信前の元の状態に戻すようにすることもできる。
【０１５７】
図１１は本発明の第４の実施例による移動局２の動作を示すフローチャートである。これら図１と図３と図４と図１１とを参照して本発明の第４の実施例による移動局２の動作について説明する。
【０１５８】
移動局２は各接続基地局が送信するＴＰＣ信号を受信し、パケット受信中以外の場合（図１１ステップＳ５１）、全ての接続基地局が送信するＴＰＣ信号の中に１つでも送信電力減少を指示するＴＰＣ信号が含まれていれば、送信電力を所定の電力ステップだけ減少し、それ以外は所定の電力ステップだけ送信電力を増加する「下げろ優先制御」に基づいて送信電力Ｐｄｐｃｈ［ｄＢ］を決定する（図１１ステップＳ５３）。
【０１５９】
移動局２は各接続基地局が送信するＴＰＣ信号を受信し、パケット受信中である場合（図１１ステップＳ５１）、パケット送信セルのＴＰＣ信号のうち電力増加を示すＴＰＣ信号の受信回数ＴＰＣ＿ＵＰと、電力減少を示すＴＰＣ信号の受信回数ＴＰＣ＿ＤＯＷＮとをカウントする（図１１ステップＳ５２）。
【０１６０】
また、移動局２はこれらの値を所定の閾値と比較し、ＴＰＣ＿ＵＰ＞Ｔｈ＿ＵＰならば（図１１ステップＳ５４）、所定の電力増加ステップ分だけＰｄｐｃｈを増加させ（図１１ステップＳ５５）、ＴＰＣ＿ＤＯＷＮ＞Ｔｈ＿ＤＯＷＮならば（図１１ステップＳ５６）、所定の電力減少ステップ分だけＰｄｐｃｈを減少させる（図１１ステップＳ５７）。ここで、Ｔｈ＿ＵＰ＜Ｔｈ＿ＤＯＷＮとする。
【０１６１】
さらに、移動局２は上記のステップＳ５５，Ｓ５７で送信電力を変更した場合、ＴＰＣ＿ＵＰ、ＴＰＣ＿ＤＯＷＮをともに０にリセットする（図１１ステップＳ５８）。その後、移動局２はＤＰＣＨをＰｄｐｃｈの送信電力で、ＨＳ−ＤＰＣＣＨをＰｈｓ＝Ｐｄｐｃｈ＋ΔＰｈｓの送信電力でそれぞれ送信する（図１１ステップＳ５９）。ここで、ΔＰｈｓは予め与えられているＨＳ−ＤＰＣＣＨのためのオフセット電力である。移動局２は以上の動作を所定の周期で繰返し行う。
【０１６２】
このように、本実施例では、同一の内容であるＴＰＣ信号を複数受信するまで実際の送信電力変更を行わないため、ＴＰＣ受信誤りによって要求と逆の送信電力制御を行う確率を低減させることが可能となる。
【０１６３】
また、本実施例では、Ｔｈ＿ＵＰ＜Ｔｈ＿ＤＯＷＮとすることによって、送信電力増加を要求したにも関わらず、ＴＰＣ信号の受信誤りによって送信電力を減少するような誤りを特に低減することが可能となる。
【０１６４】
さらに、本実施例では、電力増加に対してより少ないコマンド数で実行するため、電力増加の要求に対する追従性も向上させることができる。これによって、本実施例では、パケット受信中となり、ＡＣＫ／ＮＡＣＫ信号の受信品質を満足させる目標送信電力までの電力増加をより早くすることが可能となり、ＡＣＫ／ＮＡＣＫ信号の受信品質を向上させることができる。
【０１６５】
さらにまた、本実施例では、パケット受信中に、パケット送信元の基地局１−１から送信するＴＰＣ信号の送信電力にオフセット電力を加算することによって、移動局２−１におけるパケット送信元の基地局１−１からのＴＰＣ信号の受信誤り率を低減させることができる。
【０１６６】
然るに、本実施例では、上述した理由と同じ理由で、ＡＣＫ／ＮＡＣＫ信号の受信品質を向上させることができる。また、本実施例では、パケット送信を終了した後、加算したＴＰＣ信号のオフセット電力を元の値に戻すことによって、ＡＣＫ／ＮＡＣＫ信号の受信品質を向上しつつ、下り回線の干渉も低減することができる。
【０１６７】
図１２は本発明の第５の実施例によるセルラシステムの動作を示すシーケンスチャートである。本発明の第５の実施例では、図１に示す本発明の第１の実施例によるセルラシステムの構成と同様の構成となっており、基地局１−１，１−２及び移動局２−１〜２−３の構成も図３及び図４に示す本発明の第１の実施例と同様の構成となっている。以下、図１と図３と図４と図１２とを参照して本発明の第５の実施例について説明する。
【０１６８】
通信網から移動局２−１に送信すべきデータがＲＮＣに到着すると、ＲＮＣはそのデータを移動局２−１がＤＰＣＨを設定している基地局１−１へ送る（図１２のｅ１）。基地局１−１はデータを転送する旨の予告（データ送信予告）を移動局２−１に対して行う（図１２のｅ２）。
【０１６９】
移動局２−１は基地局１−１からのデータ転送予告受信後、パケット送信元の基地局１−１が送信するＴＰＣ信号のみにしたがって自局が送信するＵＬ　ＤＰＣＨの送信電力の制御を行うように切替える（図１２のｅ３）。これと同時に、移動局２−１は受信したＴＰＣ信号の品質劣化に対する実行条件を以下のように変更する（図１２のｅ４）。すなわち、移動局２−１はパケット送信元の基地局１−１から受信したＴＰＣ信号の受信品質を測定し、所定の品質閾値Ｑｔｈ以下である場合に、受信したＴＰＣ信号を電力増加を指示するＴＰＣ信号と判定するようにする。
【０１７０】
基地局１−１からデータをブロックに分割した最初のパケット＃１が、ＨＳ−ＰＤＳＣＨを用いて移動局２−１へ送信され（図１２のｅ５）、移動局２−１にてこのパケット＃１を正しく受信したとすると、ＡＣＫがＨＳ−ＤＰＣＣＨを用いて基地局１−１へ送信される（図１２のｅ６）。これと同時に、移動局２−１は上述したＴＰＣ信号の受信品質劣化に対する実行条件を元に戻す（図１２のｅ７）。
【０１７１】
以下、上記と同様に、パケット＃２が基地局１−１から送信され（図１２のｅ８）、移動局２−１からＡＣＫが基地局１−１ヘ送信される（図１２のｅ９）。また、パケット＃３が基地局１−１から送信され（図１２のｅ１０）、移動局２−１からＡＣＫが基地局１−１ヘ送信される（図１２のｅ１１）。
【０１７２】
データ送信が終了すると、基地局１−１は移動局２−１に対してデータ終了（Ｅｎｄ　ｏｆ　Ｄａｔａ）を通知する（図１２のｅ１２）。これと同時に、移動局２−１はデータ送信の終了に応答して、上記のｅ３の処理でパケット送信元の基地局１−１のＴＰＣ信号のみでＵＬ　ＤＰＣＨの送信な電力を制御するようにしたのを、ソフトハンドオーバ中の全ての基地局のＴＰＣ信号を用いて、ＵＬ　ＤＰＣＨの送信電力を制御する状態、つまり元の状態に戻す（図１２のｅ１３）。尚、データ終了（Ｅｎｄ　ｏｆ　Ｄａｔａ）の通知の代わりに、所定の時間、パケットが送信されてこなかった場合に、パケット送信前の元の状態に戻すようにすることもできる。
【０１７３】
図１３は本発明の第５の実施例による移動局２の動作を示すフローチャートである。これら図１と図３と図４と図１３とを参照して本発明の第５の実施例による移動局２の動作について説明する。
【０１７４】
移動局２は各接続基地局が送信するＴＰＣ信号を受信し、パケット受信中以外の場合（図１３ステップＳ６１）、全ての接続基地局が送信するＴＰＣ信号の中に１つでも送信電力減少を指示するＴＰＣ信号が含まれていれば、送信電力を所定の電力ステップだけ減少し、それ以外は所定の電力ステップだけ送信電力を増加する「下げろ優先制御」に基づいて送信電力Ｐｄｐｃｈ［ｄＢ］を決定する（図１３ステップＳ６２）。
【０１７５】
移動局２は各接続基地局が送信するＴＰＣ信号を受信し、パケット受信中である場合（図１３ステップＳ６１）、かつ最初のＡＣＫ／ＮＡＣＫ信号を送信する前である場合（図１３ステップＳ６３）、パケット送信基地局から受信したＴＰＣ信号の受信品質Ｒを測定し（図１３ステップＳ６４）、所定の閾値Ｑｔｈと比較し、Ｒ＜Ｑｔｈの場合（図１３ステップＳ６５）、所定の電力増加ステップ分だけＰｄｐｃｈを増加させ（図１３ステップＳ６６）、パケット送信元の基地局１−１から受信したＴＰＣ信号の内容にしたがった制御でＰｄｐｃｈを決定する（図１３ステップＳ６７）。
【０１７６】
また、移動局２はそれ以外の場合（図１３ステップＳ６５）、パケット送信元の基地局１−１から受信したＴＰＣ信号の内容にしたがった制御でＰｄｐｃｈを決定する（図１３ステップＳ６７）。その後、移動局２はＤＰＣＨをＰｄｐｃｈの送信電力で、ＨＳ−ＤＰＣＣＨをＰｈｓ＝Ｐｄｐｃｈ＋ΔＰｈｓの送信電力でそれぞれ送信する（図１３ステップＳ６８）。ここで、ΔＰｈｓは予め与えられているＨＳ−ＤＰＣＣＨのためのオフセット電力である。移動局は以上の動作を所定の周期で繰返し行う。
【０１７７】
このように、本実施例では、パケット送信元の基地局１−１からのＴＰＣ信号の受信品質が劣化しており、信頼度が低い場合、送信電力を増加させるため、送信電力増加を要求したにも関わらず、ＴＰＣ信号の受信誤りによって送信電力を減少するような誤りを低減させることが可能となる。
【０１７８】
通常、伝搬損が高いほど、ＴＰＣ信号の受信品質は劣化する確率が高いため、送信増加の要求をしても受信誤りによって電力が減少し、さらに劣悪な受信品質になってしまう可能性が高い。しかしながら、本実施例では、このような問題も解決することができ、送信基地局の伝搬損が大きい場合にもＡＣＫ／ＮＡＣＫ信号の受信品質を向上させることができる。
【０１７９】
また、本実施例では、送信減少を指示するＴＰＣ信号である場合でも、ＴＰＣ信号の受信品質閾値となることで、送信電力を増加させる場合があるため、目標送信電力へ到達しているにも関わらず、電力増加させてしまう可能性があるが、最初のＡＣＫ／ＮＡＣＫ信号を送信する際に元の条件に戻すことによって、目標送信電力以上となることを防止し、上り回線の干渉を低減することもできる。
【０１８０】
図１４は本発明の第６の実施例によるセルラシステムの動作を示すシーケンスチャートである。本発明の第６の実施例では、図１に示す本発明の第１の実施例によるセルラシステムの構成と同様の構成となっており、基地局１−１，１−２及び移動局２−１〜２−３の構成も図３及び図４に示す本発明の第１の実施例と同様の構成となっている。以下、図１と図３と図４と図１４とを参照して本発明の第６の実施例について説明する。
【０１８１】
通信網から移動局２−１に送信すべきデータがＲＮＣに到着すると、ＲＮＣはそのデータを移動局２−１がＤＰＣＨを設定している基地局１−１へ送る（図１４のｆ１）。基地局１−１はデータを転送する旨の予告（データ送信予告）を移動局２−１に対して行う（図１４のｆ２）。
【０１８２】
移動局２−１は基地局１−１からのデータ転送予告受信後、パケット送信元の基地局１−１が送信するＴＰＣ信号のみにしたがって自局が送信するＵＬ　ＤＰＣＨの送信電力の制御を行うように切替える（図１４のｆ３）。これと同時に、移動局２−１は送信電力制御周期ＭをＭ２からＭ１へ切替える（図１４のｆ４）。ここで、Ｍは移動局が送信電力制御を実行するまでに受信する各接続基地局からのＴＰＣ信号の回数である。また、Ｍ２＞Ｍ１とする。
【０１８３】
その後、基地局１−１からデータをブロックに分割した最初のパケット＃１が、ＨＳ−ＰＤＳＣＨを用いて移動局２−１へ送信され（図１４のｆ５）、移動局２−１にてこのパケット＃１を正しく受信したとすると、ＡＣＫがＨＳ−ＤＰＣＣＨを用いて基地局１−１へ送信される（図１４のｆ６）。これと同時に、移動局２−１は上述した送信電力制御周期ＭをＭ１から元の値Ｍ２に戻す（図１４のｆ７）。
【０１８４】
以下、上記と同様に、パケット＃２が基地局１−１から送信され（図１４のｆ８）、移動局２−１からＡＣＫが基地局１−１ヘ送信される（図１４のｆ９）。また、パケット＃３が基地局１−１から送信され（図１４のｆ１０）、移動局２−１からＡＣＫが基地局１−１ヘ送信される（図１４のｆ１１）。
【０１８５】
データ送信が終了すると、基地局１−１は移動局２−１に対してデータ終了（Ｅｎｄ　ｏｆ　Ｄａｔａ）を通知する（図１４のｆ１２）。これと同時に、移動局２−１はデータ送信の終了に応答して、上記のｆ３の処理でパケット送信元の基地局１−１のＴＰＣ信号のみでＵＬ　ＤＰＣＨの送信な電力を制御するようにしたのを、ソフトハンドオーバ中の全ての基地局のＴＰＣ信号を用いて、ＵＬ　ＤＰＣＨの送信電力を制御する状態、つまり元の状態に戻す（図１４のｆ１２）。尚、上述したデータ終了（Ｅｎｄ　ｏｆ　Ｄａｔａ）の通知の代わりに、所定の時間、パケットが送信されてこなかった場合に、パケット送信前の元の状態に戻すようにすることもできる。
【０１８６】
図１５は本発明の第６の実施例による移動局２の動作を示すフローチャートである。これら図１と図３と図４と図１５とを参照して本発明の第６の実施例による移動局２の動作について説明する。
【０１８７】
移動局２は各接続基地局が送信するＴＰＣ信号を受信し、パケット受信中以外の場合（図１５ステップＳ７１）、全ての接続基地局が送信するＴＰＣ信号を各々Ｍ２回受信するまでは送信電力を変更せず（図１５ステップＳ７２，Ｓ７３）、Ｍ２回受信した場合（図１５ステップＳ７３）、各接続基地局から受信したＭ２個のＴＰＣ信号を各々合成し、それらにしたがって送信電力Ｐｄｐｃｈを更新する（図１５ステップＳ７４）。
【０１８８】
一方、移動局２は各接続基地局が送信するＴＰＣ信号を受信し、パケット受信中で（図１５ステップＳ７１，Ｓ７５）、かつ最初のＡＣＫ／ＮＡＣＫ信号を送信する前である場合（図１５ステップＳ７６）、パケット送信元の基地局１−１のＴＰＣ信号をＭ１回受信するまで送信電力を変更しない（図１５ステップＳ７８，Ｓ８０）。
【０１８９】
通常、パケット受信中はＣＱＩ信号を送信するために、ＡＣＫ／ＮＡＣＫ信号がない場合でもＨＳ−ＤＰＣＣＨを送信する。したがって、最初のＡＣＫ／ＮＡＣＫ信号が送信される前でも、ＴＰＣ信号はＭ１回受信される。
【０１９０】
移動局２はＴＰＣ信号をＭ１回受信した場合（図１５ステップＳ７８）、受信したＭ１個のＴＰＣ信号を合成し、合成されたＴＰＣ信号にしたがって送信電力Ｐｄｐｃｈを更新する。
【０１９１】
一方、移動局２はパケット受信中で（図１５ステップＳ７１，Ｓ７５）、かつ最初のＡＣＫ／ＮＡＣＫ信号を送信した後であれば（図１５ステップＳ７６）、パケット送信元の基地局１−１のＴＰＣ信号をＭ２回受信するまでは送信電力を変更しない（図１５ステップＳ７７，Ｓ８０）。
【０１９２】
また、移動局２はＴＰＣ信号をＭ２回受信した場合（図１５ステップＳ７７）、受信したＭ２個のＴＰＣ信号を合成し、合成されたＴＰＣ信号にしたがって送信電力Ｐｄｐｃｈを更新する（図１５ステップＳ７９）。ここで、Ｍ１＜Ｍ２とする。
【０１９３】
その後、移動局２はＤＰＣＨをＰｄｐｃｈの送信電力で、ＨＳ−ＤＰＣＣＨをＰｈｓ＝Ｐｄｐｃｈ＋ΔＰｈｓの送信電力でそれぞれ送信する（図１５ステップＳ８０）。ここで、ΔＰｈｓは予め与えられているＨＳ−ＤＰＣＣＨのためのオフセット電力である。移動局２は以上の動作を所定の周期で繰返し行う。
【０１９４】
このように、本実施例では、送信電力制御周期が長い場合、いわゆる移動局２−１が複数個のＴＰＣ信号を受信した後に、それらの合成結果に基づいて送信電力を更新するような場合に、送信電力制御周期を短くすることができる。したがって、本実施例では、ＴＰＣ信号によって要求される電力制御への追従性が高くなり、パケット受信開始からＡＣＫ／ＮＡＣＫ信号を送信するまでの限られた時間内に目標送信電力まで送信電力を増加させることができるようになる。よって、本実施例では、パケット送信基地局でのＡＣＫ／ＮＡＣＫ信号の品質を向上させることができる。
【０１９５】
また、本実施例では、最初のＡＣＫ／ＮＡＣＫ信号を送信した後に、通常の送信電力制御周期に戻すため、目標送信電力に到達した頃に、複数個のＴＰＣ信号を合成することによって、ＴＰＣ信号の信頼度を高め、ＴＰＣ信号の受信誤り率を低減することもできる。
【０１９６】
上述したように、本発明によれば、移動局２−１〜２−３がソフトハンドオーバ状態にあって、複数の基地局１−１，１−２とＤＰＣＨを設定している状態で、かつパケット送信元の基地局１−１の伝搬損がそれ以外の接続基地局の伝搬損よりも大きい場合にも、適切なオフセット電力を加算することができるため、上り回線の干渉を低減しつつ、パケット送信元の基地局１−１が十分な品質でＡＣＫ／ＮＡＣＫ信号を受信することができる。
【０１９７】
また、本発明では、ＴＰＣ信号の受信誤りによって、送信電力を増加するべき状態であるにも関わらず、電力減少する確率を低減することができるため、パケット送信元の基地局１−１が十分な品質でＡＣＫ／ＮＡＣＫ信号を受信することができる。
【０１９８】
さらに、本発明では、送信電力周期を短くし、送信基地局の電力増加要求への追従性を高めることができるため、パケット送信元の基地局１−１が十分な品質でＡＣＫ／ＮＡＣＫ信号を受信することができる。これによって、本発明では、ＡＣＫ／ＮＡＣＫ信号の誤り率が減少して、パケットロスがなくなり、スループットの向上を図ることができる。
【０１９９】
また、上述したＡＣＫ／ＮＡＣＫ信号の誤り率の低減制御に用いる指標を決定する手順を、パケット受信開始に応じて行うことによって、移動局の処理量を低減させることができるという効果もある。
【０２００】
【発明の効果】
以上説明したように本発明は、移動局がオフセット電力を加えることによって、そうでない場合に比べて、より早く送信電力を目標電力値、すなわちパケット送信元の基地局で目標ＳＩＲを満足するために必要な電力値まで増加させることができるので、パケット送信基地局が十分な品質でＡＣＫ／ＮＡＣＫ信号信号を受信することができるという効果が得られる。
【図面の簡単な説明】
【図１】本発明の第１の実施例によるセルラシステムの構成を示すブロック図である。
【図２】本発明の第１の実施例によるセルラシステムの動作を示すシーケンスチャートである。
【図３】図１の基地局の構成を示すブロック図である。
【図４】図１の移動局の構成を示すブロック図である。
【図５】図１の移動局の動作を示すフローチャートである。
【図６】本発明の第２の実施例によるセルラシステムの動作を示すシーケンスチャートである。
【図７】本発明の第２の実施例による移動局の動作を示すフローチャートである。
【図８】本発明の第３の実施例によるセルラシステムの動作を示すシーケンスチャートである。
【図９】本発明の第３の実施例による移動局の動作を示すフローチャートである。
【図１０】本発明の第４の実施例によるセルラシステムの動作を示すシーケンスチャートである。
【図１１】本発明の第４の実施例による移動局の動作を示すフローチャートである。
【図１２】本発明の第５の実施例によるセルラシステムの動作を示すシーケンスチャートである。
【図１３】本発明の第５の実施例による移動局の動作を示すフローチャートである。
【図１４】本発明の第６の実施例によるセルラシステムの動作を示すシーケンスチャートである。
【図１５】本発明の第６の実施例による移動局の動作を示すフローチャートである。
【図１６】従来のセルラシステムにおける一般的動作を示す概略図である。
【図１７】ＨＳＤＰＡ方式におけるＵＬ　ＤＰＣＨとＨＳ−ＤＰＣＣＨとの関係を説明するためのフォーマット図である。
【図１８】第１の従来技術を説明するためのタイミングチャートである。
【符号の説明】
１，１−１，１−２　基地局（ＢＳ）
２，２−１〜２−３　移動局（ＭＳ）
１１，２１　アンテナ
１２，２２　アンテナ共用器（ＤＵＰ）
１３，２３　受信部
１４，２４　チャネル分離部
１５，２５　制御部（ＣＰＵ）
１６，２６　メモリ
１７，２７　チャネル合成部
１８，２８　増幅器
１９，２９　送信部
３０　受信品質測定部
【図１】
2004080235.tif 000003
【図２】
2004080235.tif 000004
【図３】
2004080235.tif 000005
【図４】
2004080235.tif 000006
【図５】
2004080235.tif 000007
【図６】
2004080235.tif 000008
【図７】
2004080235.tif 000009
【図８】
2004080235.tif 000010
【図９】
2004080235.tif 000011
【図１０】
2004080235.tif 000012
【図１１】
2004080235.tif 000013
【図１２】
2004080235.tif 000014
【図１３】
2004080235.tif 000015
【図１４】
2004080235.tif 000016
【図１５】
2004080235.tif 000017
【図１６】
2004080235.tif 000018
【図１７】
2004080235.tif 000019
【図１８】
2004080235.tif 000020